(57)【特許請求の範囲】
【請求項１】
送信側で使用した拡散符号と同一の拡散符号と受信信号との相関をとる相関器と、該相関器が出力する相関値を所定期間にわたって平均化する第一の平均化手段と、該相関器が出力する相関値を使用して有効パス検出のための閾値を計算する閾値計算手段と、該第一の平均化手段が出力する平均値を該閾値計算手段が出力する閾値と比較して該平均値が該閾値を超えるタイミングと該平均値とを出力してセクタ毎に有効パスの存在可能性を示唆する比較手段とを有する複数の有効パス検出装置と、
全ての有効パス検出装置に共通に、
該有効パス検出装置の出力を受けて、有効パス数の大小を比較する大小比較手段と該大小比較手段の出力によって１つの有効パス検出装置の出力を選択するセレクタより成るセクタ選択装置と、該セクタ選択装置の出力に応じた拡散符号を生成する拡散符号生成装置と、該拡散符号生成装置が出力を拡散符号によって受信信号を復調する復調装置と、該復調装置の出力のビット誤り率を計算するビット誤り率計算手段と、該ビット誤り率計算手段の出力が所定のビット誤り率以下である時にパス・サーチ窓決定処理への移行を決定する信号を出力する移行決定装置と、該移行決定装置が出力する移行決定信号と該セクタ選択装置の出力を受けてパス・サーチ窓を決定するパス・サーチ窓決定装置とを備えることを特徴とするパス・サーチ窓設定装置。
【請求項２】
請求項１記載のパス・サーチ窓設定装置において、
上記ビット誤り率計算手段は、
上記復調装置の出力に対して重み係数を乗じてビット誤り率を計算することを特徴とするパス・サーチ窓設定装置。
【請求項３】
請求項１乃び請求項２のいずれかに記載のパス・サーチ窓設定装置において、
上記移行決定装置は、
上記ビット誤り率計算手段と、上記有効パス検出装置の出力を受けて複数のセクタのうち１つでも有効パスの存在可能性があることを検出して有効信号を出力する有効パス検出手段と、該ビット誤り率計算手段又は該有効パス検出手段が有効信号を出力する時に上記パス・サーチ窓決定手段にイネーブル信号を供給するイネーブル論理回路とによって成ることを特徴とするパス・サーチ窓設定装置。
【請求項４】
請求項１乃至請求項３のいずれかに記載のパス・サーチ窓設定装置において、
上記移行決定装置が所定回数連続してパス・サーチ窓の決定処理への移行を決定した時に上記パス・サーチ窓決定装置へのイネーブル信号を出力する連続検出手段を備えることを特徴とするパス・サーチ窓設定装置。
【請求項５】
請求項１乃至請求項４のいずれかに記載のパス・サーチ窓設定装置において、
上記有効パス検出装置毎に、
更に、上記比較手段の出力を所定回数にわたって平均化する第二の平均化手段を付加することを特徴とするパス・サーチ窓設定装置。
【発明の詳細な説明】
【０００１】
【発明の属する技術分野】
本発明は、多元接続方式として符号分割多元接続（通常「ＣＤＭＡ」と略記される。これはCode Division Multiple Access の頭文字による略語である。）方式を適用するセルラ通信システムのパス・サーチ窓設定装置において、基地局が通信を希望する移動局から送信された信号を受信してベースバンド信号に逆拡散する時に基地局で必要となるパス・タイミングを検出する際に、正確にパス・タイミングを検出できると共に、パス・タイミングが移動局の移動に伴って変化することがあってもその変化するパス・タイミングを追跡する時間窓即ちパス・サーチ窓を狭く設定することが可能なパス・サーチ設定装置に関する。
【０００２】
近年、携帯電話に代表されるセルラ通信の需要は急速に増加しており、実用に供されている携帯電話端末の数は事務所や家庭に設置される固定電話端末の数を既に上回っており、需要が増加する傾向が更に続くものと予測される。
このような需要増加に対応するためには高い周波数利用効率により通信容量を拡大することが求められている。従って、多元接続方式として既に広く実用に供されている時分割多元接続（これは、通常「ＴＤＭＡ」と略記される。この略語は、Time Domain Multiple Access の頭文字による略語である。) 方式に代わるべく符号分割多元接続方式の導入が開始されている。
【０００３】
符号分割多元接続方式では、送信側で通信信号毎に異なる拡散符号で拡散して単位帯域当たりは電力が微小な広帯域信号に変換して送信するので、無線区間においては通信信号毎に異なる拡散符号で拡散された信号が通信信号の数だけ同時に存在している。そして、送信側で通信信号を拡散した符号と同一の拡散符号を用いて受信側で受信信号との相関をとって（この処理を「逆拡散」という。）受信信号からベースバンド信号を抽出（これを「復調」という）して送信された通信信号を再生する。
【０００４】
従って、符号分割多元接続方式自体が持っている通信容量を最大限引き出すためには、通信相手である希望局からの通信信号を通信相手ではない干渉局の通信信号や空間に存在する雑音の中から正確且つ迅速に弁別する能力が必要となる。
一般に、セルラ通信システムを構成するセルの中には種々の建造物や丘陵などの電波を反射させるものが多数存在しうるので、特定の移動局とセルを統括する基地局との間には複数の通信パス（以降、単に「パス」と略記する。）が存在し、しかもパスが異なれば伝播遅延時間が異なるのが通常である。従って、希望局の通信信号を正確に弁別するためには最も確からしいパスにおける、拡散符号と受信信号との間で高い相関が得られるタイミング（これを「パス・タイミング」という。）を知る必要がある。
【０００５】
さて、一般に移動局の基地局に対する位置が変化するのでパス自体が変化し、それにつれてパス・タイミングもまた変化する。従って、移動局の移動に伴って変化するパス・タイミングを追跡して、常に希望局のパス・タイミングを把握している必要がある。これを行なうのがパス・サーチャであり、該パス・サーチャの動作上重要な役割を果たすのがパス・サーチ窓設定装置である。パス・タイミングを追跡する場合、パス・タイミングを追跡するサーチ時間を長くすれば確実にパス・タイミングを把握することができるが、サーチ時間が長い程パス・サーチャの回路と処理量を肥大化させる。
【０００６】
従って、パス・タイミングが移動局の移動に伴って変化しても、その変化する該パス・タイミングを追跡する時間窓即ちパス・サーチ窓を必要最小限の幅で素早く設定することが可能なパス・サーチ窓設定装置の実現が強く望まれている。
【０００７】
【従来の技術】
図２７は、従来のパス・サーチ窓設定装置（その１）で、セルラ通信システムの基地局のうちパス・タイミングを追跡するための主要構成を図示している。尚、図２７には複数の移動局も併せて図示している。
図２７において、１０１は通信相手である希望局で、便宜上通信信号を拡散する部位のみを示している。尚、拡散符号としてＣ1 を使用しているものとする。又、１０２は通信相手ではない干渉局で、拡散符号としてＣ2 を使用しているものとする。更に、１０３は通信相手ではない干渉局で、拡散符号としてＣ3 を使用しているものとする。図２７では希望局１０１と干渉局１０２及び１０３が存在しているものとして図示しているが、勿論干渉局は２局に限定されるものではない。尚、希望局１０１、干渉局１０２及び干渉局１０３は同一のセクタ内に存在する移動局であるとは限らない。
【０００８】
１ｃは有効パス検出装置で、セルを分割したセクタの数だけ有効パス検出装置が存在する。即ち、有効パス検出装置はセクタ受信装置に固有のものである。尚、図２７では移動局（希望局及び干渉局）と等しい数の有効パス検出装置が図示されているが、移動局の数とセクタの数は独立であるので単なる図示上の偶然であると理解されたい。
【０００９】
そして、有効パス検出装置１ｃは、送信側で使用した拡散符号と同一の拡散符号と受信信号との相関をとる相関器１１、相関器１１の出力の最大値を検出する最大値検出手段１７とを備えている。尚、相関器１１には通常マッチド・フィルタが使用される。そして、有効パス検出装置１ｃの出力はパスが存在しうるパス・タイミングと該パス・タイミングにおける相関値の振幅（以降、パス・タイミングにおける相関値の振幅のことを単に「パスの振幅」と省略して表現することがある。）を表わす。
【００１０】
２ｃは複数の有効パス検出装置の出力を比較してパスの振幅が最大値を示したセクタを選択するセクタ選択装置、４ｂはセクタ選択装置２ｃの出力上でパスの振幅が最大になるセグメントをパス・サーチ窓とするパス・サーチ窓決定装置（図では「サーチ窓決定装置」と略記しているが同一のものである。）である。そして、セクタ選択装置２ｃが出力するセクタ情報とパス・サーチ窓決定装置４ｂが出力するパス・サーチ窓情報とでパス・タイミング情報が形成される。
【００１１】
５は、セクタ選択装置２ｃが出力するセクタ情報によって制御されて拡散符号を発生する拡散符号発生装置、６は拡散符号発生装置５が出力する拡散符号によって送信された通信信号を受信信号から抽出即ち復調する逆拡散装置である。そして、逆拡散装置の出力が復調情報であるから、逆拡散装置を復調装置と呼んでもよい。
【００１２】
そして、セクタ選択装置２ｃ、パス・サーチ窓決定装置４ｂ、拡散符号発生装置５及び逆拡散装置６は１つのセクタ受信装置に固有のものである。即ち、図２７には複数のセクタ受信装置が備える有効パス検出装置１ｃと、単一のセクタ受信装置が備えるセクタ選択装置２ｃ、パス・サーチ窓決定装置４ｂ、拡散符号発生装置５及び逆拡散装置６が示されている。このうち拡散符号発生装置５及び逆拡散装置６を除いた部分が図２７に示す従来のパス・サーチ窓設定装置を構成する。
【００１３】
さて、希望局と基地局との間の無線区間には、干渉局の通信電波の外に、種々の自然現象に伴う電波、電力システムや生産システムが発生する電波、セルラ通信システムとは異なる通信システムが使用している電波などの雑音電波が存在している。
従って、図２７の相関器１１は、多数の受信入力と１つの拡散符号との相関値を出力する。最大値検出手段１７は、相関器１１の出力の中で最大振幅のパスの振幅とそのタイミングを検出する。
【００１４】
セクタ選択装置２ｃは、各々の有効パス検出装置が出力するパスの振幅を比較してパスの振幅が最大の有効パス検出装置の出力（パスの振幅とパス・タイミング）を選択してセクタ情報とし、拡散符号発生装置５とパス・サーチ窓決定装置４とに供給する。
パス・サーチ窓決定装置４ｂは、スロット毎にセクタ選択装置２ｃの出力を時間軸上でスキャンして、パスの振幅が最大になるタイミングを含むセグメントをパス・サーチ窓として決定する。
【００１５】
即ち、基地局においてパス・サーチ窓設定装置は希望局の複数のパスの希望波、複数の干渉局の複数のパスの干渉波及び雑音電波が重畳されている中からパスの振幅が最大になるタイミングが最も確からしいパス・タイミングであるとして当該タイミングを含むセグメントをパス・サーチ窓として決定する。
このセグメントの時間はセル全体における遅延時間と比較して極めて短いので、パス・タイミングを追跡するための時間を大幅に短縮することができる。即ち、パス・サーチ窓設定装置の回路規模及び処理規模を大幅に縮減することができる。
【００１６】
図２８は、従来のパス・サーチ窓設定装置（その２）である。
図２８において、１は有効なパス・タイミングと該パス・タイミングにおけるパスの振幅の情報を検出して出力する有効パス検出装置で、セルを分割したセクタの数だけ有効パス検出装置が存在する。即ち、有効パス検出装置はセクタ受信装置に固有のものである。
【００１７】
そして、有効パス検出装置１は、送信側で使用した拡散符号と同一の拡散符号と受信信号との相関をとる相関器１１、相関器１１の出力の平均値を計算する第一の平均化手段１２、相関器１１の出力から有効なパス・タイミングを検出するための閾値を計算する閾値計算手段１３、第一の平均化手段１２の出力が閾値計算手段１３の出力を超える時に有効なパス・タイミングと該パス・タイミングにおけるパスの振幅を出力する比較手段（図では、単に「比較」と記載しているが同一のものである。）を備えている。尚、相関器１１には通常マッチド・フィルタが使用される。
【００１８】
２は複数の有効パス検出装置の出力から１つの有効パス検出装置の出力を選択するセクタ選択装置で、図２８の構成の場合はセレクタによって構成される。
３はパス・サーチ窓の決定処理への移行を決定する移行決定装置で、この場合には複数のセクタのうち１つでも有効なパスの存在可能性がある時にイネーブル信号を出力する有効パス判定手段３１によって構成されている。
【００１９】
４ｃは有効パス検出手段３１の出力を移行決定イネーブル信号として、複数の有効パス検出装置の出力を使用してパス・サーチ窓を決定するパス・サーチ窓決定装置で、パス・サーチ窓決定装置４ｃはセクタ情報とセグメント情報とを出力する。このうちセクタ情報はセクタ選択装置２を構成するセレクタに選択信号として供給される。
【００２０】
５は、セクタ選択装置２が出力するセクタ情報によって制御されて拡散符号を発生する拡散符号発生装置、６は拡散符号発生装置５が出力する拡散符号によって送信された通信信号を受信信号から抽出即ち復調する逆拡散装置である。ここで、逆拡散装置の出力が復調情報である。
そして、セクタ選択装置２、移行決定装置３、パス・サーチ窓決定装置４ｃ、拡散符号発生装置５及び逆拡散装置６は１つのセクタ受信装置に固有のものである。即ち、図２８には複数のセクタ受信装置が備える有効パス検出装置１と、単一のセクタ受信装置が備えるセクタ選択装置２、移行決定装置３、パス・サーチ窓決定装置４ｃ、拡散符号発生装置５及び逆拡散装置６が示されており、このうち拡散符号発生装置５及び逆拡散装置６を除いた部分が図２８に示す従来のパス・サーチ窓設定装置を構成する。
【００２１】
さて、相関器１１は、多数の受信入力と１つの拡散符号との相関値を出力する。
第一の平均化手段１２は、基本的には加算器及び除算器を備えており、複数スロットにおける相関値の平均を求めて出力する。
複数の有効パス検出装置１の出力は移行決定装置３を構成する有効パス判定手段、パス・サーチ窓決定装置４ｃ及びセクタ選択装置２に供給される。
【００２２】
このうち、移行決定装置３は複数の有効パス検出装置の出力に１つでも有効パスの情報があればイネーブル信号をパス・サーチ窓決定装置４ｃに供給する。今は、移行決定装置３がイネーブル信号を出力したものと想定する。
移行決定装置３から移行決定イネーブル信号を受けると、パス・サーチ窓決定装置４ｃはパス・サーチ窓決定処理に入り、最も確からしいセクタと当該セクタにおける最も確からしいセグメントを選択してパス・サーチ窓として決定し、セクタ情報とパス・サーチ窓情報を出力する。
【００２３】
このうち、セクタ情報がセクタ選択装置２を構成するセレクタに供給されて、当該セクタに対応する有効パス検出装置１の出力が拡散符号発生装置５に供給される。
そして、逆拡散装置６において拡散符号発生装置５が発生する拡散符号と受信信号との相関がとられて復調が行なわれる。
【００２４】
このセグメントの時間はセル全体における遅延時間と比較して極めて短いので、パス・タイミングを追跡するための時間を大幅に短縮することができる。即ち、パス・サーチ窓設定装置の回路規模及び処理規模を大幅に縮減することができる。しかも、相関器１１の出力を複数スロットにわたって平均化してパス・サーチ窓を決定するようにしているので、特定のタイミングにおいて干渉局の通信信号や雑音電波と希望局の拡散符号との相関値が偶然に希望局の通信信号と希望局の拡散符号との相関値を上回ることがあっても、そのタイミングをパス・タイミングであると誤認する恐れが縮減される。
【００２５】
【発明が解決しようとする課題】
しかし、従来のパス・サーチ窓設定装置（その１）においては、有効パス検出装置１ｃ毎に相関値の最大値を検出し、複数の有効パス検出装置１ｃの中で最大の相関値を出力した有効パス検出装置１ｃに対応するセクタを最も確からしいセクタとして選択し、更に、当該セクタにおけるスロットの中で最大の相関値を示したセグメントをパス・タイミングをパス・サーチ窓として決定していたので、干渉局の通信信号や雑音電波と希望局の拡散符号との相関値が偶然に希望局の通信信号と希望局の拡散符号との相関値を上回って最大値を示した場合には、そのタイミングをパス・タイミングであると誤認する恐れが残る。
【００２６】
誤ったタイミングを正しいパス・タイミングであると誤認した場合には、いずれ拡散符号の同期をとることができなくなって有効な復調信号を得ることができなくなる。このため、一旦開いたパス・サーチ窓を閉じて全セル内でパス・タイミングのサーチを再度開始する必要性が生じ、この間通信が一時途絶してサービスの低下を招く。
【００２７】
又、従来のパス・サーチ窓設定装置（その２）は従来のパス・サーチ窓設定装置（その１）の欠点を補完するものであるが、あくまで相関器の出力だけからパス・サーチ窓の時間位置を推定するものであるため、パス・サーチ窓の時間位置の確かさには不安が残る。
本発明は、かかる問題点に鑑み、多元接続方式として符号分割多元接続方式を適用するセルラ通信システムのパス・サーチ窓設定装置において、基地局が通信を希望する移動局から送信された信号を受信してベースバンド信号に逆拡散する際に基地局で必要となるパス・タイミングを検出する際に、正確にパス・タイミングを検出できると共に、パス・タイミングが該移動局の移動に伴って変化することがあってもその変化するパス・タイミングを追跡する時間窓即ちパス・サーチ窓を必要最小限の幅で素早く設定することが可能なパス・サーチ設定装置を提供することを目的とする。
【００２８】
【課題を解決するための手段】
第一の発明は、送信側で使用した拡散符号と同一の拡散符号と受信信号との相関をとる相関器と、該相関器が出力する相関値を所定期間にわたって平均化する第一の平均化手段と、該相関器が出力する相関値を使用して閾値を計算する閾値計算手段と、該第一の平均化手段が出力する平均値を該閾値計算手段が出力する閾値と比較して該平均値が該閾値を超えるタイミングと該平均値とを出力してセクタ毎に有効パスの存在可能性を示唆する比較手段とを有する複数の有効パス検出装置と、全ての有効パス検出装置に共通に、該有効パス検出装置の出力を受けて、有効パス数の大小を比較する大小比較手段と該大小比較手段の出力によって１つの有効パス検出装置の出力を選択するセレクタより成るセクタ選択装置と、該セクタ選択装置の出力に応じた拡散符号を生成する拡散符号生成装置と、該拡散符号生成装置が出力を拡散符号によって受信信号を復調する復調装置と、該復調装置の出力のビット誤り率を計算するビット誤り率計算手段と、該ビット誤り率計算手段の出力が所定のビット誤り率以下である時にパス・サーチ窓決定処理への移行を決定する信号を出力する移行決定装置と、該移行決定装置が出力する移行決定信号と該セクタ選択装置の出力を受けてパス・サーチ窓を決定するパス・サーチ窓決定装置とを備えることを特徴とするパス・サーチ窓設定装置である。
【００２９】
第一の発明によれば、有効パス検出装置毎に該相関器が出力する該相関値を所定時間にわたって平均化する第一の平均化手段と該第一の平均化手段が出力する平均値を受信信号に基づいて計算した閾値と比較して該平均値が該閾値を超えるタイミングを有効パスが存在する可能性が高いパス・タイミングであると判定する比較手段を備えているので、偶然に干渉電波又は雑音電波との相関値が大きくなることがあってもこのタイミングの相関値の影響は平均化によって縮減され、パス・タイミングを誤認識する恐れが少なくなる。更に、該セクタ選択装置の出力に応じた拡散符号によって受信信号を復調して、復調信号のビット誤り率が所定値以下の時にパス・サーチ窓決定の処理に移行するので、パス・サーチ窓をより一層正確に決定することが可能になる。
【００３０】
第二の発明は、第一の発明のパス・サーチ窓設定装置において、上記ビット誤り率計算手段は、上記復調装置の出力に対して重み係数を乗じてビット誤り率を計算することを特徴とするパス・サーチ窓設定装置である。
第二の発明によれば、第一の発明において、上記ビット誤り率計算手段は、上記乗算器の出力に対して重み係数を乗じてビット誤り率を計算するので、パス・サーチ窓を更に正確に決定することが可能になる。
【００３１】
第三の発明は、第一の発明又は第二の発明のいずれかのパス・サーチ窓設定装置において、上記移行決定装置は、上記ビット誤り率判定手段と、上記有効パス検出装置の出力を受けて複数のセクタのうち１つでも有効パスの存在可能性があることを検出して有効信号を出力する有効パス検出手段と、該ビット誤り率判定手段又は該有効パス検出手段が有効信号を出力する時に上記パス・サーチ窓決定手段にイネーブル信号を供給するイネーブル手段とによって成ることを特徴とするパス・サーチ窓設定装置である。
【００３２】
第三の発明によれば、第一の発明乃び第二の発明のいずれかにおいて、上記移行決定装置は、上記ビット誤り率判定手段と、上記有効パス検出装置の出力を受けて複数のセクタのうち１つでも有効パスの存在可能性があることを検出する有効パス検出手段と、該ビット誤り率判定手段と該有効パス検出手段のいずれかが有効信号を出力する時に上記パス・サーチ窓決定手段にイネーブル信号を供給するイネーブル手段とによって成るので、従来の技術以上に確実な判定基準による上記パス・サーチ窓決定処理への移行のフレキシビリティを増すことができる。そして、特に、該ビット誤り率判定手段と該有効パス検出手段のいずれもが有効信号を出力する時にはパス・サーチ窓決定処理への移行の確実さを更に高めることができる。
【００３３】
第四の発明は、第一の発明乃至第三の発明のいずれかのパス・サーチ窓設定装置において、上記移行決定装置が所定回数連続してパス・サーチ窓の決定処理への移行を決定した時に上記パス・サーチ窓決定装置へのイネーブル信号を出力する連続検出手段を備えることを特徴とするパス・サーチ窓設定装置である。
第四の発明によれば、第一の発明乃至第三の発明のいずれかのパス・サーチ窓設定装置において、上記移行決定装置が所定回数連続してパス・サーチ窓の決定処理への移行を決定した時に上記パス・サーチ窓決定装置へのイネーブル信号を出力する連続検出手段を備えるので、パス・サーチ窓決定処理への移行の信頼度を更に高くすることができる。
【００３４】
第五の発明は、第一の発明乃至第四の発明のいずれかのパス・サーチ窓設定装置において、上記有効パス検出装置毎に、更に、上記比較手段の出力を所定回数にわたって平均化する第二の平均化手段を付加することを特徴とするパス・サーチ窓設定装置である。
第五の発明によれば、第一の発明乃至第四の発明のいずれかのパス・サーチ窓設定装置において、上記有効パス検出装置毎に、更に、上記比較手段の出力を所定回数にわたって平均化する第二の平均化手段を付加するので、偶然に干渉電波又は雑音電波との相関値が大きくなることがあってもこのタイミングの相関値の影響は第二の平均化手段による平均化によって更に縮減され、パス・タイミングを誤認識する恐れが少なくなる。
【００３５】
【発明の実施の形態】
以降、具体的な図面を用いて本発明の技術を詳細に説明する。
図１は、本発明の第一、第六及び第八の実施の形態の基本構成、図８は、本発明の第一乃至第五及び第九の実施の形態におけるセクタ選択装置の構成、図１４は第一の平均化手段の機能と概略構成を示す図で、図１、図８及び図１４の組合せで本発明の第一の実施の形態の構成が明らかにされる。
【００３６】
図１において、１は、有効パスのタイミングと該有効パスの振幅の情報を検出して出力する有効パス検出装置で、セルを分割したセクタの数だけ有効パス検出装置が存在する。即ち、有効パス検出装置は基地局を構成するセクタ受信装置に固有のものである。
そして、有効パス検出装置１は、送信側で使用した拡散符号と同一の拡散符号と受信信号との相関をとる相関器１１、相関器１１の出力の平均値を計算する第一の平均化手段１２、第一の平均化手段１２の出力から有効パスを検出するための閾値を計算する閾値計算手段１３、第一の平均化手段１２の出力の振幅が閾値計算手段１３の出力の振幅を超える時に有効パスのタイミングと該有効パスの振幅を出力する比較手段（図では、単に「比較」と記載しているが同一のものである。以降も、図では同様に記載する。）を備えている。尚、相関器１１には通常マッチド・フィルタが使用される。
【００３７】
２ａは、複数の有効パス検出装置の出力から１つの有効パス検出装置の出力、即ち、希望局の存在が最も確からしい特定のセクタに対応する有効パス検出装置の出力（「セクタ情報」と略記することがある。）を選択するセクタ選択装置で、図８に示す如く、各々の有効パス検出手段の出力における有効パスを比較する大小比較手段２３及び各々の有効パス検出手段の出力を選択するセレクタ２１によって構成される。尚、セクタ選択装置２ａが出力するセクタ情報は後述する拡散符号発生装置に供給される。
【００３８】
５は、セクタ選択装置２ａが出力するセクタ情報、即ち、有効パス検出装置の出力によって制御されて拡散符号を発生する拡散符号発生装置、６は、拡散符号発生装置５が出力する拡散符号によって受信信号から送信された通信信号を抽出即ち復調する逆拡散装置である。そして、逆拡散装置の出力が復調情報となる。
７は、該復調情報から同期ワードを検出してビット誤り率を計算するビット誤り率計算手段である。
【００３９】
３ａは、パス・サーチ窓の決定処理への移行を決定する移行決定装置で、この場合にはビット誤り率計算手段７の計算結果が所定のビット誤り率以下の時に移行決定イネーブル信号を出力するビット誤り率判定手段３３を備えている。
４ａは、ビット誤り率判定手段３３の出力を移行決定イネーブル信号として受け、セクタ選択装置２ａが選択した有効パス検出手段の出力からサーチ窓を決定するパス・サーチ窓決定装置で、パス・サーチ窓決定装置４は希望局の存在が最も確からしいセクタ上で最も確からしいタイミングを示すセグメント情報とを出力する。
【００４０】
ここで、セクタ選択装置２ａ、移行決定装置３ａ、パス・サーチ窓決定装置４ａ、拡散符号発生装置５及び逆拡散装置６は１つのセクタ受信装置に固有のものである。即ち、図１には複数のセクタ受信装置が備える有効パス検出装置１と、単一のセクタ受信装置が備えるセクタ選択装置２ａと、移行決定装置３ａ、パス・サーチ窓決定装置４ａ、拡散符号発生装置５、逆拡散装置６及びビット誤り率計算手段７が示されており、これらの構成要素によって本発明のパス・サーチ窓設定装置が構成される。
【００４１】
さて、相関器１１は、希望局の通信電波、干渉局の通信電波や雑音電波を含む多数の受信入力と特定の拡散符号との相関値を出力する。
第一の平均化手段１２は、図１４に示す如く、基本的には加算器１２−１及び除算器１２−２を備えており、複数スロットにおける相関値の平均を求めて出力する。尚、複数スロットにおける相関値の平均を求めるためには、複数スロットにおける相関値をシフト・レジスタに順次書き込み、それらを並列に読み出して加算した結果をスロット数で除算するなどの手段を用いればよい。
【００４２】
比較手段１４は、第一の平均化手段１２の出力振幅と閾値計算手段１３の出力振幅を比較して、第一の平均化手段１２の出力振幅が閾値計算手段１３の出力振幅を超える時（第一の平均化手段１２の出力振幅が閾値計算手段１３の出力振幅を超える時、そのパスは有効パスであるという。）に第一の平均化手段１２の出力を当該有効パス検出装置の出力として送出する。
【００４３】
複数の有効パス検出装置の出力はセクタ選択装置２ａに供給される。セクタ選択装置２ａでは大小比較手段２３が最も有効パス数が多い有効パス検出手段の出力を検出して選択信号をセレクタ２１に供給し、セレクタ２１は該選択信号に対応したセクタ情報を選択して出力する。
拡散符号発生装置５は、セクタ選択装置２ａが出力するセクタ情報に対応する拡散符号を発生して逆拡散装置６に供給し、逆拡散装置乗算器６は、該拡散符号によって受信信号を逆拡散して復調情報を出力する。
【００４４】
ビット誤り率計算手段７は、該復調情報から同期ワードを検出して該復調情報のビット誤り率を計算する。
移行決定装置３ａを構成するビット誤り率判定手段３３は、ビット誤り率計算手段７が出力するビット誤り率が所定のビット誤り率以下の時に移行決定イネーブル信号をパス・サーチ窓決定装置４ａに供給する。
【００４５】
移行決定装置３ａから移行決定イネーブル信号を受けると、パス・サーチ窓決定装置４ａはパス・サーチ窓決定処理に入り、最も確からしいセクタにおける最も確からしいセグメントを選択してパス・サーチ窓として決定する。
その後、拡散符号の位相が確定され、位相が確定された拡散符号によって受信信号の復調が行なわれる。
【００４６】
上記の動作をフローチャートで表現すると図１６の如くなる。上記事項と重複する部分もあるが、以降、図１６の符号に沿って本発明の第一の実施の形態の動作を説明する。
Ｓ１．相関器は、特定の拡散符号を使用して受信信号との相関値を求め、該相関値を第一の平均化手段に入力する。
【００４７】
ここで、移動局ｉの通信信号をＤi （ｔ）、使用している拡散符号をＣi （ｔ）とし、通信路のインパルス応答をＣＨi （ｔ）、通信路の雑音をＮi （ｔ）とすると、受信信号Ｒ（ｔ）は式（１）で与えられる。但し、ｎは移動局の数である。
【００４８】
【数１】
0003815277.tif 000002
【００４９】
即ち、受信信号は通信路を経て到達した複数の通信信号と通信路における雑音の和である。
このとき、相関器の拡散符号のインパルス応答をｈ1 （ｔ）とすると、相関器の出力Ｒh （ｔ）は受信信号Ｒ（ｔ）とｈ1 （ｔ）の畳み込み積分で与えられるので、相関器の出力Ｒh （ｔ）は式（２）で表わされる。
【００５０】
【数２】
0003815277.tif 000003
【００５１】
Ｓ２．第一の平均化手段は、所定数のスロットにわたって該相関値を平均化する。これをＲhAV （ｔ）とする。
Ｓ３．閾値計算手段は、第一の平均化手段の出力を使用して有効パス判定のための閾値を計算する。
閾値をＬ1 とし、実験によって求めた定数をＸとすると、閾値Ｌ1 は式（３）で表わされる。
【００５２】
【数３】
0003815277.tif 000004
【００５３】
ここで、式（３）の積分時間は第一の平均化手段が相関値を平均化する所定スロット数の時間に対して十分長く設定する。尚、実験によって求めた定数Ｘを加算するのは、受信信号だけから求めた閾値より閾値自体の信頼度を高くできるからである。
Ｓ４．比較手段は、第一の平均化手段の出力振幅と閾値計算手段の出力振幅とを比較して、第一の平均化手段の出力振幅が閾値計算手段の出力振幅以上の時に第一の平均化手段の出力を送出する。
【００５４】
Ｓ５．セクタ選択装置は、複数の有効パス検出装置の出力における有効パス数（ＮSECT）を計数する。
Ｓ６．ステップＳ５で計数した有効パス数を比較して、有効パス数が最も多い有効パス検出装置の出力を最も確からしいものとして選択して出力する。即ち、これがパス・サーチ窓決定装置がパス・サーチ窓の決定に使用するセクタの情報となる。
【００５５】
そして、次回のパス・サーチ窓設定に使用するために、選択したセクタ情報を拡散符号発生装置に転送しておく。
Ｓ７．一方、拡散符号発生装置は、前回の処理の結果選択されたセクタ情報に従って拡散符号を発生する。
Ｓ８．逆拡散装置は、該拡散符号を使用して受信信号を復調して復調情報を出力する。
【００５６】
Ｓ９．ビット誤り率計算手段は、該復調情報から同期ワードを検出する。
Ｓ１２．該同期ワードのビット誤り率を算出する。
これは、参照用同期ワードを読み出して検出した同期ワードを比較し、誤りビット数を同期ワードの全ビット数で除算すればよい。
Ｓ１３．ビット誤り率判定手段は、ステップＳ１２で求められたビット誤り率が所定のビット誤り率以下であるか否か判定する。
【００５７】
ビット誤り率が所定のビット誤り率を超える場合（Ｎｏ）には、一旦処理を終了して上記処理を再度試みる。
Ｓ１４．ビット誤り率判定手段は、ビット誤り率判定信号を移行決定イネーブル信号としてパス・サーチ窓決定装置に供給する。該移行決定イネーブル信号を受けたパス・サーチ窓決定装置は、当該セクタ上のセグメント毎に有効パス数（ＮSEG ）を計数する。
【００５８】
Ｓ１５．パス・サーチ窓決定装置は、計数した有効パス数が最も多いセグメントを選択してパス・サーチ窓とする。
尚、図１５は、セグメントの決定を説明する図である。
本発明の第一の実施の形態の場合には、有効パス数が最も多いセクタをパス・サーチ窓の決定に使用するセクタとし、当該セクタ上で有効パス数が最も多いセグメントをパス・サーチ窓とする。従って、図１５の例ではセグメント＃３が最も確からしいセグメントとして選択される。
【００５９】
即ち、本発明の第一の実施の形態では、基地局においてパス・サーチ窓設定装置は希望局の複数のパスの希望波、複数の干渉局の複数のパスの干渉波及び雑音電波が重畳されている中から相関値の平均振幅が閾値を超える時に有効パスがあり得ると判断し、有効パス数が最も多いセクタを使用して当該セクタ上で最も有効パス数が多いセグメントをパス・サーチ窓として決定する。しかも、仮に計算したビット誤り率が所定値以下の時にパス・サーチ窓決定処理への移行を促す移行決定イネーブル信号を出力して上記処理を行なう。
【００６０】
このセグメントの時間はセル全体における遅延時間と比較して極めて短いので、パス・タイミングを追跡するための時間を大幅に短縮することができる。即ち、パス・サーチ窓設定装置の回路規模及び処理規模を大幅に縮減することができる。しかも、仮に計算したビット誤り率が所定値以下の時にパス・サーチ窓決定処理への移行を促す移行決定イネーブル信号を出力して上記処理を行なうので、干渉局の通信信号や雑音電波と希望局の拡散符号との相関値が偶然に希望局の通信信号と希望局の拡散符号との相関値を上回って最大値を示すことがあっても、該最大値を示すタイミングを直ちにパス・タイミングであると誤認する恐れが縮減され、パス・サーチの信頼度を向上させることができる。
【００６１】
図２は、本発明の第二の実施の形態の基本構成、図８は、本発明の第一乃至第五及び第九の実施の形態におけるセクタ選択装置の構成、図１４は第一の平均化手段の機能と概略構成を示す図で、図２、図８及び図１４の組合せで本発明の第二の実施の形態の構成が明らかにされる。
図２において、１は、有効パスのタイミングと該有効パスの振幅の情報を検出して出力する有効パス検出装置で、セルを分割したセクタの数だけ有効パス検出装置が存在する。即ち、有効パス検出装置は基地局を構成するセクタ受信装置に固有のものである。
【００６２】
そして、有効パス検出装置１は、送信側で使用した拡散符号と同一の拡散符号と受信信号との相関をとる相関器１１、相関器１１の出力の平均値を計算する第一の平均化手段１２、第一の平均化手段１２の出力から有効パスを検出するための閾値を計算する閾値計算手段１３、第一の平均化手段１２の出力の振幅が閾値計算手段１３の出力の振幅を超える時に有効パスのタイミングと該有効パスの振幅を出力する比較手段１４を備えている。
【００６３】
２ａは、複数の有効パス検出装置の出力から１つの有効パス検出装置の出力、即ち、希望局の存在が最も確からしい特定のセクタに対応する有効パス検出装置の出力（「セクタ情報」と略記することがある。）を選択するセクタ選択装置で、図８に示す如く、各々の有効パス検出手段の出力における有効パスを比較する大小比較手段２３及び各々の有効パス検出手段の出力を選択するセレクタ２１によって構成される。尚、セクタ選択装置２ａが出力するセクタ情報は後述する拡散符号発生装置に供給される。
【００６４】
５は、セクタ選択装置２ａが出力するセクタ情報、即ち、有効パス検出装置の出力よって制御されて拡散符号を発生する拡散符号発生装置、６は、拡散符号発生装置５が出力する拡散符号によって受信信号から送信された通信信号を抽出即ち復調する逆拡散装置である。そして、逆拡散装置の出力が復調情報となる。
７は、該復調情報から同期ワードを検出してビット誤り率を計算するビット誤り率計算手段である。
【００６５】
８は、スロット毎の重み係数を格納してビット誤り率計算手段７に供給する重み係数格納装置である。
３ａは、パス・サーチ窓の決定処理への移行を決定する移行決定装置で、この場合にはビット誤り率計算手段７の計算した重み係数を考慮したビット誤り率が所定のビット誤り率以下の時にビット誤り率判定信号を移行決定イネーブル信号として出力するビット誤り率判定手段３３を備えている。
【００６６】
４ａは、ビット誤り率判定手段３３の出力を移行決定イネーブル信号として受け、セクタ選択装置２ａが選択した有効パス検出手段の出力からサーチ窓を決定するパス・サーチ窓決定装置で、パス・サーチ窓決定装置４は希望局の存在が最も確からしいセクタ上で最も確からしいタイミングを示すセグメント情報を出力する。
【００６７】
ここで、セクタ選択装置２ａ、移行決定装置３ａ、パス・サーチ窓決定装置４ａ、拡散符号発生装置５及び逆拡散装置６は１つのセクタ受信装置に固有のものである。即ち、図２には複数のセクタ受信装置が備える有効パス検出装置１と、単一のセクタ受信装置が備えるセクタ選択装置２ａと、移行決定装置３ａ、パス・サーチ窓決定装置４ａ、拡散符号発生装置５、逆拡散装置６、ビット誤り率計算手段７及び重み係数格納装置８が示されており、これらの構成要素によって本発明のパス・サーチ窓設定装置が構成される。
【００６８】
本発明の第二の実施の形態の動作をフローチャートで表現すると図１７の如くなる。図１６に関する記載と重複する部分もあるが、部分的な記載では本発明の技術の理解が阻害される恐れがあるので、以降、図１７の符号に沿って本発明の第二の実施の形態の動作を説明する。
Ｓ２１．相関器は、特定の拡散符号を使用して受信信号との相関値を求め、該相関値を第一の平均化手段に入力する。
【００６９】
ここで、受信信号Ｒ（ｔ）は式（１）で与えられる。
又、相関器の出力Ｒh （ｔ）は式（２）で表わされる。
Ｓ２２．第一の平均化手段は、所定数のスロットにわたって該相関値を平均化する。これをＲhAV （ｔ）とする。
Ｓ２３．閾値計算手段は、第一の平均化手段の出力を使用して有効パス判定のための閾値を計算する。
【００７０】
尚で、閾値Ｌ1 は式（３）で表わされる。
Ｓ２４．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
Ｓ２５．セクタ選択装置は、複数の有効パス検出装置の出力における有効パス数（ＮSECT）を計数する。
【００７１】
Ｓ２６．ステップＳ５で計数した有効パス数を比較して、有効パス数が最も多い有効パス検出装置の出力を最も確からしいものとして選択して出力する。即ち、これがパス・サーチ窓決定装置がパス・サーチ窓の決定に使用するセクタ情報となる。
そして、次回のパス・サーチ窓設定に使用するために、選択したセクタ情報を拡散符号発生装置に転送しておく。
【００７２】
Ｓ２７．一方、拡散符号発生装置は、前回の処理の結果決定されたセクタ情報に従って拡散符号を発生する。
Ｓ２８．逆拡散装置は、該拡散符号を使用して受信信号を復調して復調情報を出力する。
Ｓ２９．ビット誤り率計算手段は、該復調情報から同期ワードを検出する。
【００７３】
Ｓ３２．検出した同期ワードからスロットのパイロット情報を取得し、
Ｓ３３．スロットのパイロット情報に対応する重み係数を重み係数格納装置から読み出す。
Ｓ３４．該同期ワードのビット誤り率を上記重み係数を考慮して算出する。
Ｓ３５．ビット誤り率判定手段は、ステップＳ３４で求められた重み付けビット誤り率が所定のビット誤り率以下であるか否か判定する。
【００７４】
ビット誤り率が所定のビット誤り率を超える場合（Ｎｏ）には、一旦処理を終了して上記処理を再度試みる。
Ｓ３６．ビット誤り率判定手段は、ビット誤り率判定信号を移行決定イネーブル信号としてパス・サーチ窓決定装置に供給する。該移行決定イネーブル信号を受けたパス・サーチ窓決定装置は、当該セクタ上のセグメント毎に有効パス数（ＮSEG ）を計数する。
【００７５】
Ｓ３７．パス・サーチ窓決定装置は、計数した有効パス数が最も多いセグメントを選択してパス・サーチ窓とする。
つまり、本発明の第二の実施の形態は、本発明の第一の実施の形態においてビット誤り率を計算する時にスロット毎の重み係数を考慮することが特徴である。即ち、本発明の第二の実施の形態では、基地局においてパス・サーチ窓設定装置は希望局の複数のパスの希望波、複数の干渉局の複数のパスの干渉波及び雑音電波が重畳されている中から相関値の平均振幅が閾値を超える時に有効パスがあり得ると判断し、有効パス数が最も多いセクタを使用して当該セクタ上で最も有効パス数が多いセグメントをパス・サーチ窓として決定する。しかも、仮に計算した重み付けビット誤り率が所定値以下の時にパス・サーチ窓決定処理への移行を促す移行決定イネーブル信号を出力して上記処理を行なう。
【００７６】
このセグメントの時間はセル全体における遅延時間と比較して極めて短いので、パス・タイミングを追跡するための時間を大幅に短縮することができる。即ち、パス・サーチ窓設定装置の回路規模及び処理規模を大幅に縮減することができる。しかも、仮に計算したビット誤り率が所定値以下の時にパス・サーチ窓決定処理への移行を促す移行決定イネーブル信号を出力して上記処理を行なうので、干渉局の通信信号や雑音電波と希望局の拡散符号との相関値が偶然に希望局の通信信号と希望局の拡散符号との相関値を上回って最大値を示すことがあっても、該最大値を示すタイミングを直ちにパス・タイミングであると誤認する恐れが縮減される上に同期ワードの検出精度を向上させることが可能になり、パス・サーチの信頼度を更に向上させることができる。
【００７７】
図３は、本発明の第三の形態の基本構成、図８は、本発明の第一乃至第五及び第九の実施の形態におけるセクタ選択装置の構成、、図１４は、第一の平均化手段の機能と概略構成を示す図である。即ち、図３、図８及び図１４の組合せによって本発明の第三の実施の形態の構成が明らかにされる。
図３において、１は、有効パスのタイミングと該有効パスの振幅の情報を検出して出力する有効パス検出装置で、セルを分割したセクタの数だけ有効パス検出装置が存在する。即ち、有効パス検出装置は基地局を構成するセクタ受信装置に固有のものである。
【００７８】
そして、有効パス検出装置１は、送信側で使用した拡散符号と同一の拡散符号と受信信号との相関をとる相関器１１、相関器１１の出力の平均値を計算する第一の平均化手段１２、第一の平均化手段１２の出力から有効パスを検出するための閾値を計算する閾値計算手段１３、第一の平均化手段１２の出力の振幅が閾値計算手段１３の出力の振幅を超える時に有効パスのタイミングと該有効パスの振幅を出力する比較手段を備えている。
【００７９】
２ａは、複数の有効パス検出装置の出力から１つの有効パス検出装置の出力、即ち、希望局の存在が最も確からしい特定のセクタに対応する有効パス検出装置の出力（「セクタ情報」と略記することがある。）を選択するセクタ選択装置で、図８に示す如く、各々の有効パス検出手段の出力における有効パスを比較する大小比較手段２３及び各々の有効パス検出手段の出力を選択するセレクタ２１によって構成される。尚、セクタ選択装置２ａが出力するセクタ情報は後述する拡散符号発生装置に供給される。
【００８０】
５は、セクタ選択装置２ａが出力するセクタ情報、即ち、有効パス検出装置の出力よって制御されて拡散符号を発生する拡散符号発生装置、６は、拡散符号発生装置５が出力する拡散符号によって受信信号から送信された通信信号を抽出即ち復調する逆拡散装置である。そして、逆拡散装置の出力が復調情報となる。
７は、該復調情報から同期ワードを検出してビット誤り率を計算するビット誤り率計算手段である。
【００８１】
３ｂは、パス・サーチ窓の決定処理への移行を決定する移行決定装置で、この場合にはビット誤り率計算手段７の計算したビット誤り率が所定のビット誤り率以下の時にビット誤り率判定信号を出力するビット誤り率判定手段３３、各々の有効パス検出装置の出力に少なくとも１つの有効パスが存在する時に有効パス判定信号を出力する有効パス判定手段３１、及び、ビット誤り率判定手段３３がビット誤り率判定信号を出力した時又は有効パス判定手段３１が有効パス判定信号を出力した時に移行決定イネーブル信号を出力する論理和回路３４とを備えている。
【００８２】
４ａは、移行決定装置３ｂの出力を移行決定イネーブル信号として受け、セクタ選択装置２ａが選択した有効パス検出手段の出力からサーチ窓を決定するパス・サーチ窓決定装置で、パス・サーチ窓決定装置４は希望局の存在が最も確からしいセクタ上で最も確からしいタイミングを示すセグメント情報を出力する。
ここで、セクタ選択装置２ａ、移行決定装置３ｂ、パス・サーチ窓決定装置４ａ、拡散符号発生装置５及び逆拡散装置６及びビット誤り率計算手段７は１つのセクタ受信装置に固有のものである。即ち、図３には複数のセクタ受信装置が備える有効パス検出装置１と、単一のセクタ受信装置が備えるセクタ選択装置２ａ、移行決定装置３ｂ、パス・サーチ窓決定装置４ａ、拡散符号発生装置５、逆拡散装置６、ビット誤り率計算手段７が示されており、これらの構成要素によって本発明のパス・サーチ窓設定装置が構成される。
【００８３】
本発明の第三の実施の形態の動作をフローチャートで表現すると図１８の如くなる。既述と重複する部分もあるが、部分的な記載では本発明の技術の理解が阻害される恐れがあるので、以降、図１８の符号に沿って本発明の第三の実施の形態の動作を説明する。
Ｓ４１．相関器は、特定の拡散符号を使用して受信信号との相関値を求め、該相関値を第一の平均化手段に入力する。
【００８４】
ここで、受信信号Ｒ（ｔ）は式（１）で与えられる。
又、相関器の出力Ｒh （ｔ）は式（２）で表わされる。
Ｓ４２．第一の平均化手段は、所定数のスロットにわたって該相関値を平均化する。これをＲhAV （ｔ）とする。
Ｓ４３．閾値計算手段は、第一の平均化手段の出力を使用して有効パス判定のための閾値を計算する。
【００８５】
尚で、閾値Ｌ1 は式（３）で表わされる。
Ｓ４４．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
Ｓ４５．セクタ選択装置は、複数の有効パス検出装置の出力における有効パス数（ＮSECT）を計数する。
【００８６】
Ｓ４６．ステップＳ４５で計数した有効パス数を比較して、有効パス数が最も多い有効パス検出装置の出力を最も確からしいものとして選択して出力する。即ち、これがパス・サーチ窓決定装置がパス・サーチ窓の決定に使用するセクタ情報となる。
そして、次回のパス・サーチ窓設定に使用するために、選択したセクタ情報を拡散符号発生装置に転送しておく。
【００８７】
Ｓ４７．一方、移行決定装置を構成する有効パス判定手段は、各々の有効パス検出装置の出力を監視して、少なくとも１つの有効パスがあるか否か判定する。
Ｓ４８．更に、拡散符号発生装置は、前回の処理の結果決定されたセクタ情報に従って拡散符号を発生する。
Ｓ４９．逆拡散装置は、該拡散符号を使用して受信信号を復調して復調情報を出力する。
【００８８】
Ｓ５０．ビット誤り率計算手段は、該復調情報から同期ワードを検出する。
Ｓ５３．該同期ワードのビット誤り率を算出する。
Ｓ５４．ビット誤り率判定手段は、ステップＳ５３で求められたビット誤り率が所定のビット誤り率以下であるか否か判定する。
Ｓ５５．イネーブル論理回路は、ビット誤り率判定手段又は有効パス判定手段の出力が真であるか否かを判定する。
【００８９】
いずれの出力も真でない場合（Ｎｏ）には、一旦処理を終了して上記処理を再度試みる。
Ｓ５６．イネーブル論理回路は、ビット誤り率判定手段又は有効パス判定手段の出力が真である時に移行決定イネーブル信号をパス・サーチ窓決定装置に供給する。パス・サーチ窓決定装置は、当該セクタ上のセグメント毎に有効パス数（ＮSEG ）を計数する。
【００９０】
Ｓ５７．パス・サーチ窓決定装置は、計数した有効パス数が最も多いセグメントを選択してパス・サーチ窓とする。
つまり、本発明の第三の実施の形態は、本発明の第一の実施の形態におけるビット誤り率判定信号の他に有効パス判定信号を利用して、ビット誤り率判定信号又は有効パス判定信号が出力された時に移行決定イネーブル信号を出力するものである。即ち、本発明の第三の実施の形態では、基地局においてパス・サーチ窓設定装置は希望局の複数のパスの希望波、複数の干渉局の複数のパスの干渉波及び雑音電波が重畳されている中から相関値の平均振幅が閾値を超える時に有効パスがあり得ると判断し、有効パス数が最も多いセクタを使用して当該セクタ上で最も有効パス数が多いセグメントをパス・サーチ窓として決定する。しかも、仮に計算したビット誤り率が所定値以下の時又は有効パスが少なくとも１つある時にパス・サーチ窓決定処理への移行を促す移行決定イネーブル信号を出力して上記処理を行なう。
【００９１】
このセグメントの時間はセル全体における遅延時間と比較して極めて短いので、パス・タイミングを追跡するための時間を大幅に短縮することができる。即ち、パス・サーチ窓設定装置の回路規模及び処理規模を大幅に縮減することができる。しかも、仮に計算したビット誤り率が所定値以下の時又は有効パスが少なくとも１つある時にパス・サーチ窓決定処理への移行を促す移行決定イネーブル信号を出力して上記処理を行なうので、パス・サーチ窓決定処理への移行の融通性が高まり、特に、仮に計算したビット誤り率が所定値以下の時且つ有効パスが少なくとも１つある時には、パス・サーチ窓の確からしさが非常に高くなる。
【００９２】
尚、ビット誤り率判定信号又は有効パス判定信号が出力された時に移行決定イネーブル信号を出力することは、本発明の第二の実施の形態に適用することも可能である。
図４は、本発明の第四の実施の形態の基本構成、図８は、本発明の第一乃至第五及び第九の実施の形態におけるセクタ選択装置の構成、図１４は、第一の平均化手段の機能と概略構成を示す図である。即ち、図４、図８及び図１４の組合せによって本発明の第四の実施の形態の構成が明らかにされる。
【００９３】
図４において、１は、有効パスのタイミングと該有効パスの振幅の情報を検出して出力する有効パス検出装置で、セルを分割したセクタの数だけ有効パス検出装置が存在する。即ち、有効パス検出装置は基地局を構成するセクタ受信装置に固有のものである。
そして、有効パス検出装置１は、送信側で使用した拡散符号と同一の拡散符号と受信信号との相関をとる相関器１１、相関器１１の出力の平均値を計算する第一の平均化手段１２、第一の平均化手段１２の出力から有効パスを検出するための閾値を計算する閾値計算手段１３、第一の平均化手段１２の出力の振幅が閾値計算手段１３の出力の振幅を超える時に有効パスのタイミングと該有効パスの振幅を出力する比較手段を備えている。
【００９４】
２ａは、複数の有効パス検出装置の出力から１つの有効パス検出装置の出力、即ち、希望局の存在が最も確からしい特定のセクタに対応する有効パス検出装置の出力（「セクタ情報」と略記することがある。）を選択するセクタ選択装置で、図８に示す如く、各々の有効パス検出手段の出力における有効パスを比較する大小比較手段２３及び各々の有効パス検出手段の出力を選択するセレクタ２１によって構成される。尚、セクタ選択装置２ａが出力するセクタ情報は後述する拡散符号発生装置に供給される。
【００９５】
５は、セクタ選択装置２ａが出力するセクタ情報、即ち、有効パス検出装置の出力よって制御されて拡散符号を発生する拡散符号発生装置、６は、拡散符号発生装置５が出力する拡散符号によって受信信号から送信された通信信号を抽出する逆拡散装置である。そして、逆拡散装置の出力が復調情報となる。
７は、該復調情報から同期ワードを検出してビット誤り率を計算するビット誤り率計算手段である。
【００９６】
３ｃは、パス・サーチ窓の決定処理への移行を決定する移行決定装置で、この場合にはビット誤り率計算手段７の計算したビット誤り率が所定のビット誤り率以下の時にビット誤り率判定信号を出力するビット誤り率判定手段３３と、該ビット誤り率判定信号が所定回数連続して出力された時に移行決定イネーブル信号を出力する連続判定手段３２を備えている。
【００９７】
４ａは、ビット誤り率判定手段３３の出力を移行決定イネーブル信号として受け、セクタ選択装置２ａが選択した有効パス検出手段の出力からサーチ窓を決定するパス・サーチ窓決定装置で、パス・サーチ窓決定装置４は希望局の存在が最も確からしいセクタ上で最も確からしいタイミングを示すセグメント情報を出力する。
【００９８】
ここで、セクタ選択装置２ａ、移行決定装置３ｃ、パス・サーチ窓決定装置４ａ、拡散符号発生装置５及び逆拡散装置６は１つのセクタ受信装置に固有のものである。即ち、図４には複数のセクタ受信装置が備える有効パス検出装置１と、単一のセクタ受信装置が備えるセクタ選択装置２ａ、移行決定装置３ｃ、パス・サーチ窓決定装置４ａ、拡散符号発生装置５、逆拡散装置６及びビット誤り率計算手段７が示されており、これらの構成要素によって本発明のパス・サーチ窓設定装置が構成される。
【００９９】
本発明の第四の実施の形態の動作をフローチャートで表現すると図１９の如くなる。既述事項と重複部分もあるが、部分的な記載では本発明の技術の理解が阻害される恐れがあるので、以降、図１９の符号に沿って本発明の第二の実施の形態の動作を説明する。
Ｓ６１．相関器は、特定の拡散符号を使用して受信信号との相関値を求め、該相関値を第一の平均化手段に入力する。
【０１００】
ここで、受信信号Ｒ（ｔ）は式（１）で与えられる。
又、相関器の出力Ｒh （ｔ）は式（２）で表わされる。
Ｓ６２．第一の平均化手段は、所定数のスロットにわたって該相関値を平均化する。これをＲhAV （ｔ）とする。
Ｓ６３．閾値計算手段は、第一の平均化手段の出力を使用して有効パス判定のための閾値を計算する。
【０１０１】
尚、閾値Ｌ1 は式（３）で表わされる。
Ｓ６４．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
Ｓ６５．セクタ選択装置は、複数の有効パス検出装置の出力における有効パス数（ＮSECT）を計数する。
【０１０２】
Ｓ６６．ステップＳ６５で計数した有効パス数を比較して、有効パス数が最も多い有効パス検出装置の出力を最も確からしいものとして選択して出力する。即ち、これがパス・サーチ窓決定装置がパス・サーチ窓の決定に使用するセクタ情報となる。
そして、次回のパス・サーチ窓設定に使用するために、選択したセクタ情報を拡散符号発生装置に転送しておく。
【０１０３】
Ｓ６７．一方、拡散符号発生装置は、前回の処理の結果決定されたセクタ情報に従って拡散符号を発生する。
Ｓ６８．逆拡散装置は、該拡散符号を使用して受信信号を復調して復調情報を出力する。
Ｓ６９．ビット誤り率計算手段は、該復調情報から同期ワードを検出する。
【０１０４】
Ｓ７２．該同期ワードのビット誤り率を算出する。
Ｓ７３．ビット誤り率判定手段は、ステップＳ７２で求められたビット誤り率が所定のビット誤り率以下であるか否か判定する。
ビット誤り率が所定のビット誤り率を超える場合（Ｎｏ）には、一旦処理を終了して上記処理を再度試みる。
【０１０５】
Ｓ７４．ステップＳ７３で、ビット誤り率が所定のビット誤り率以下であると判定した場合（Ｙｅｓ）には、その状態を保持する。
Ｓ７５．連続判定手段は、上記状態が所定回数連続したか否か判定する。
上記状態が所内回数連続しなかった場合（Ｎｏ）には、一旦処理を終了して上記処理を再度試みる。
【０１０６】
Ｓ７６．ステップＳ７５で、上記状態が所定回数連続したと判定した場合（Ｙｅｓ）には、連続判定手段は移行決定イネーブル信号を出力してパス・サーチ窓決定装置に供給する。パス・サーチ窓決定装置は、計数した有効パス数が最も多いセグメントを選択してパス・サーチ窓とする。
つまり、本発明の第四の実施の形態は、本発明の第一の実施の形態においてビット誤り率判定手段がビット誤り率判定信号を所定回数連続して出力した時に移行決定イネーブル信号を出力するものである。
【０１０７】
即ち、本発明の第四の実施の形態では、基地局においてパス・サーチ窓設定装置は希望局の複数のパスの希望波、複数の干渉局の複数のパスの干渉波及び雑音電波が重畳されている中から相関値の平均振幅が閾値を超える時に有効パスがあり得ると判断し、有効パス数が最も多いセクタを使用して当該セクタ上で最も有効パス数が多いセグメントをパス・サーチ窓として決定する。しかも、仮に計算したビット誤り率が所定値以下の状態が所定回数連続した時にパス・サーチ窓決定処理への移行を促す移行決定イネーブル信号を出力して上記処理を行なう。
【０１０８】
このセグメントの時間はセル全体における遅延時間と比較して極めて短いので、パス・タイミングを追跡するための時間を大幅に短縮することができる。即ち、パス・サーチ窓設定装置の回路規模及び処理規模を大幅に縮減することができる。しかも、仮に計算したビット誤り率が所定値以下の状態が所定回数連続した時にパス・サーチ窓決定処理への移行を促す移行決定イネーブル信号を出力して上記処理を行なうので、干渉局の通信信号や雑音電波と希望局の拡散符号との相関値が偶然に希望局の通信信号と希望局の拡散符号との相関値を上回って最大値を示すことがあっても、該最大値を示すタイミングを直ちにパス・タイミングであると誤認する恐れが縮減される上に同期ワードの検出精度を向上させることが可能になり、パス・サーチの信頼度を更に向上させることができる。
【０１０９】
尚、ビット誤り率判定手段がビット誤り率判定信号を所定回数連続して出力した時に移行決定イネーブル信号を出力することは、本発明の第二、第三の実施の形態にも適用することが可能である。
図５は、本発明の第五の実施の形態の基本構成、図８は、本発明の第一乃至第五及び第九の実施の形態におけるセクタ選択装置の構成、図１４は、第一の平均化手段の機能と概略構成を示す図である。即ち、図５、図８及び図１４の組合せによって本発明の第五の実施の形態の構成が明らかにされる。
【０１１０】
図５において、１ａは、有効パスのタイミングと該有効パスの振幅の情報を検出して出力する有効パス検出装置で、セルを分割したセクタの数だけ有効パス検出装置が存在する。即ち、有効パス検出装置は基地局を構成するセクタ受信装置に固有のものである。
そして、有効パス検出装置１ａは、送信側で使用した拡散符号と同一の拡散符号と受信信号との相関をとる相関器１１、相関器１１の出力の平均値を計算する第一の平均化手段１２、第一の平均化手段１２の出力から有効パスを検出するための閾値を計算する閾値計算手段１３、第一の平均化手段１２の出力の振幅が閾値計算手段１３の出力の振幅を超える時に有効パスのタイミングと該有効パスの振幅を出力する比較手段１４、及び、比較手段１４の出力のうち有効パスの振幅を所定期間平均化する第二の平均化手段１５を備えている。
【０１１１】
２ａは、複数の有効パス検出装置の出力から１つの有効パス検出装置の出力、即ち、希望局の存在が最も確からしい特定のセクタに対応する有効パス検出装置の出力（「セクタ情報」と略記することがある。）を選択するセクタ選択装置で、図８に示す如く、各々の有効パス検出手段の出力における有効パスを比較する大小比較手段２３及び各々の有効パス検出手段の出力を選択するセレクタ２１によって構成される。尚、セクタ選択装置２ａが出力するセクタ情報は後述する拡散符号発生装置に供給される。
【０１１２】
５は、セクタ選択装置２ａが出力するセクタ情報、即ち、有効パス検出装置の出力よって制御されて拡散符号を発生する拡散符号発生装置、６は、拡散符号発生装置５が出力する拡散符号によって受信信号から送信された通信信号を抽出する逆拡散装置である。そして、逆拡散装置の出力が復調情報となる。
７は、該復調情報から同期ワードを検出してビット誤り率を計算するビット誤り率計算手段である。
【０１１３】
３ａは、パス・サーチ窓の決定処理への移行を決定する移行決定装置で、この場合にはビット誤り率計算手段７の計算結果が所定のビット誤り率以下の時に移行決定イネーブル信号を出力するビット誤り率判定手段３３を備えている。
４ａは、ビット誤り率判定手段３３の出力を移行決定イネーブル信号として受け、セクタ選択装置２ａが選択した有効パス検出手段の出力からサーチ窓を決定するパス・サーチ窓決定装置で、パス・サーチ窓決定装置４は希望局の存在が最も確からしいセクタ上で最も確からしいタイミングを示すセグメント情報とを出力する。
【０１１４】
ここで、セクタ選択装置２ａ、移行決定装置３ａ、パス・サーチ窓決定装置４ａ、拡散符号発生装置５及び逆拡散装置６は１つのセクタ受信装置に固有のものである。即ち、図５には複数のセクタ受信装置が備える有効パス検出装置１ａと、単一のセクタ受信装置が備えるセクタ選択装置２ａ、移行決定装置３ａ、パス・サーチ窓決定装置４ａ、拡散符号発生装置５、逆拡散装置６及びビット誤り率計算手段７が示されており、これらの構成要素によって本発明のパス・サーチ窓設定装置が構成される。
【０１１５】
本発明の第五の実施の形態の動作をフローチャートで表現すると図２０の如くなる。上記事項と重複する部分もあるが、以降、図２０の符号に沿って本発明の第五の実施の形態の動作を説明する。
Ｓ８１．相関器は、特定の拡散符号を使用して受信信号との相関値を求め、該相関値を第一の平均化手段に入力する。
【０１１６】
ここで、受信信号Ｒ（ｔ）は式（１）で与えられる。
又、相関器の出力Ｒh （ｔ）は式（２）で表わされる。
Ｓ８２．第二の平均化手段に備えられているタイマーを初期化する。
尚、該タイマーの代わりにカウンタを使用してもよい。
Ｓ８３．第一の平均化手段は、所定数のスロットにわたって該相関値を平均化する。これをＲhAV （ｔ）とする。
【０１１７】
Ｓ８４．閾値計算手段は、第一の平均化手段の出力を使用して有効パス判定のための閾値を計算する。
ここで，閾値は式（３）で表わされる。
Ｓ８５．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
【０１１８】
Ｓ８６．第二の平均化手段は、第一の平均化手段の出力を加算する。
Ｓ８７．第二の平均化手段は、該タイマーをインクリメントする。
Ｓ８８．第二の平均化手段は、該タイマーの値が所定値に到達したか否か判定する。
該タイマーの値が所定値に到達していない場合（Ｎｏ）には、ステップＳ８３にジャンプして、移行の処理を繰り返す。
【０１１９】
Ｓ８９．ステップＳ８８で、該タイマーの値が所定値に到達したと判定した場合（Ｙｅｓ）には、加算回数で除算して平均化する。
Ｓ９０．セクタ選択装置は、セクタ毎の第二の平均化手段の出力を比較し、
Ｓ９１．第二の平均化手段の出力が最大の有効パス検出装置の出力を選択する。即ち、パス・サーチ窓設定に使用するセクタを選択する。
【０１２０】
そして、次回のパス・サーチ窓設定に使用するために、選択したセクタ情報を拡散符号発生装置に転送しておく。
Ｓ９２．一方、拡散符号発生装置は、前回の処理の結果決定されたセクタ情報に従って拡散符号を発生する。
Ｓ９３．逆拡散装置は、該拡散符号を使用して受信信号を復調して復調情報を出力する。
【０１２１】
Ｓ９４．ビット誤り率計算手段は、該復調情報から同期ワードを検出する。
Ｓ９７．該同期ワードのビット誤り率を算出する。
Ｓ９８．ビット誤り率判定手段は、ステップＳ１１で求められたビット誤り率が所定のビット誤り率以下であるか否か判定する。
ビット誤り率が所定のビット誤り率を超える場合（Ｎｏ）には、一旦処理を終了して上記処理を再度試みる。
【０１２２】
Ｓ９９．ビット誤り率判定手段は、ビット誤り率判定信号を移行決定イネーブル信号としてパス・サーチ窓決定装置に供給する。該移行決定イネーブル信号を受けたパス・サーチ窓決定装置は、当該セクタ上のセグメント毎に有効パス数（ＮSEG ）を計数する。
Ｓ１００．パス・サーチ窓決定装置は、計数した有効パス数が最も多いセグメントを選択してパス・サーチ窓とする。
【０１２３】
詰まり、本発明の第五の実施の形態は、本発明の第一の実施の形態における有効パス検出装置に第二の平均化手段を付加したものである。
即ち、本発明の第五の実施の形態では、基地局においてパス・サーチ窓設定装置は希望局の複数のパスの希望波、複数の干渉局の複数のパスの干渉波及び雑音電波が重畳されている中から相関値の平均振幅が閾値を超える時に有効パスがあり得ると判断し、比較手段が出力する有効パスの振幅を第二の平均化手段によって更に平均化して、第二の平均化手段の出力が最大のセクタを使用して当該セクタ上で最も有効パス数が多いセグメントをパス・サーチ窓として決定する。しかも、仮に計算したビット誤り率が所定値以下の時にパス・サーチ窓決定処理への移行を促す移行決定イネーブル信号を出力して上記処理を行なう。
【０１２４】
このセグメントの時間はセル全体における遅延時間と比較して極めて短いので、パス・タイミングを追跡するための時間を大幅に短縮することができる。即ち、パス・サーチ窓設定装置の回路規模及び処理規模を大幅に縮減することができる。従って、干渉局の通信信号や雑音電波と希望局の拡散符号との相関値が偶然に希望局の通信信号と希望局の拡散符号との相関値を上回って最大値を示すことがあっても、該最大値を示すタイミングを直ちにパス・タイミングであると誤認する恐れが縮減され、パス・サーチの信頼度を更に向上させることができる。
【０１２５】
尚、有効パス検出装置に第二の平均化手段を付加することは本発明の第二乃至第四の実施の形態にも適用することができる。
図１は、本発明の第一、第六及び第八の実施の形態の基本構成、図９は、本発明の第六の実施の形態におけるセクタ選択装置の構成（その１）、図１０は、本発明の第六の実施の形態におけるセクタ選択装置の構成（その２）、図１４は第一の平均化手段の機能と概略構成を示す図で、図１、図９、図１０及び図１４の組合せで本発明の第一の実施の形態の構成が明らかにされる。
【０１２６】
図１において、１は、有効パスのタイミングと該有効パスの振幅の情報を検出して出力する有効パス検出装置で、セルを分割したセクタの数だけ有効パス検出装置が存在する。即ち、有効パス検出装置は基地局を構成するセクタ受信装置に固有のものである。
そして、有効パス検出装置１は、送信側で使用した拡散符号と同一の拡散符号と受信信号との相関をとる相関器１１、相関器１１の出力の平均値を計算する第一の平均化手段１２、第一の平均化手段１２の出力から有効パスを検出するための閾値を計算する閾値計算手段１３、第一の平均化手段１２の出力の振幅が閾値計算手段１３の出力の振幅を超える時に有効パスのタイミングと該有効パスの振幅を出力する比較手段を備えている。
【０１２７】
２ａは、複数の有効パス検出装置の出力から１つの有効パス検出装置の出力、即ち、希望局の存在が最も確からしい特定のセクタに対応する有効パス検出装置の出力を選択するセクタ選択装置で、図９又は図１０に示す構成になっている。
先ず、図９の場合には、有効パス検出装置の出力毎に所定期間有効パスの振幅の総和を求める総和手段２２、２２ａ及び２２ｂ、複数の総和手段の出力の大小比較をする大小比較手段２３及び大小比較手段２３の出力を選択信号として複数の有効パス検出装置の出力のうち１つを選択するセレクタ２１によってセクタ選択装置２ｂが構成される。次いで、図１０の場合には、有効パス検出装置の出力毎に有効パスの遅延時間の分散を算出する遅延分散算出手段２４、２４ａ及び２４ｂ、複数の遅延分散算出手段の出力の大小比較をする大小比較手段２３及び大小比較手段２３の出力を選択信号として複数の有効パス検出装置の出力のうち１つを選択するセレクタ２１によってセクタ選択装置２ａが構成される。
【０１２８】
５は、セクタ選択装置２ａが出力するセクタ情報、即ち、有効パス検出装置の出力よって制御されて拡散符号を発生する拡散符号発生装置、６は、拡散符号発生装置５が出力する拡散符号によって受信信号から送信された通信信号を抽出する逆拡散装置である。そして、逆拡散装置の出力が復調情報となる。
７は、該復調情報から同期ワードを検出してビット誤り率を計算するビット誤り率計算手段である。
【０１２９】
３ａは、パス・サーチ窓の決定処理への移行を決定する移行決定装置で、この場合にはビット誤り率計算手段７の計算したビット誤り率が所定のビット誤り率以下の時にビット誤り率判定信号を移行決定イネーブル信号として出力するビット誤り率判定手段３３を備えている。
４ａは、ビット誤り率判定手段３３の出力を移行決定イネーブル信号として受け、セクタ選択装置２ａが選択した有効パス検出手段の出力からサーチ窓を決定するパス・サーチ窓決定装置で、パス・サーチ窓決定装置４は希望局の存在が最も確からしいセクタ上で最も確からしいタイミングを示すセグメント情報を出力する。
【０１３０】
ここで、セクタ選択装置２ａ、移行決定装置３ａ、パス・サーチ窓決定装置４ａ、拡散符号発生装置５及び逆拡散装置６は１つのセクタ受信装置に固有のものである。即ち、図６には複数のセクタ受信装置が備える有効パス検出装置１と、単一のセクタ受信装置が備えるセクタ選択装置２ａ、移行決定装置３ａ、パス・サーチ窓決定装置４ａ、拡散符号発生装置５、逆拡散装置６及びビット誤り率計算手段７が示されており、これらの構成要素によって本発明のパス・サーチ窓設定装置が構成される。
【０１３１】
図２１は、本発明の第六の実施の形態の動作を示すフローチャート（その１）、図２２は、本発明の第六の実施の形態の動作を示すフローチャート（その２）である。以降、図２１又は図２２の符号に沿って本発明の第六の実施の形態の動作を説明する。
先ず、図２１の場合は下記の通りである。
【０１３２】
Ｓ１１１．相関器は、特定の拡散符号を使用して受信信号との相関値を求め、該相関値を第一の平均化手段に入力する。
ここで、受信信号Ｒ（ｔ）は式（１）で与えられる。
又、相関器の出力Ｒh （ｔ）は式（２）で表わされる。
Ｓ１１２．第一の平均化手段は、所定数のスロットにわたって該相関値を平均化する。これをＲhAV （ｔ）とする。
【０１３３】
Ｓ１１３．閾値計算手段は、第一の平均化手段の出力を使用して有効パス判定のための閾値を計算する。
閾値Ｌ1 は式（３）で表わされる。
Ｓ１１４．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
【０１３４】
Ｓ１１５．セクタ選択装置において総和手段は、有効パス検出装置の出力毎に有効パスの振幅の総和を求める。
Ｓ１１６．セクタ選択装置において大小比較手段は、各々の総和手段の出力の大小を比較して、総和が最も大きい有効パス検出装置の出力を選択するようにセレクタに選択信号を出力する。これにより、セレクタは総和が最も大きい有効パス検出装置の出力を選択して出力する。即ち、パス・サーチ窓設定に使用されるセクタを選択する。
【０１３５】
そして、次回のパス・サーチ窓設定に使用するために、選択したセクタ情報を拡散符号発生装置に転送しておく。
Ｓ１１７．一方、拡散符号発生装置は、前回の処理の結果決定されたセクタ情報に従って拡散符号を発生する。
Ｓ１１８．逆拡散装置は、該拡散符号を使用して受信信号を復調して復調情報を出力する。
【０１３６】
Ｓ１１９．ビット誤り率計算手段は、該復調情報から同期ワードを検出する。
Ｓ１２２．該同期ワードのビット誤り率を算出する。
Ｓ１２３．ビット誤り率判定手段は、ステップＳ１２２で求めたビット誤り率が所定のビット誤り率以下であるか否か判定する。
ビット誤り率が所定のビット誤り率を超える場合（Ｎｏ）には、一旦処理を終了して上記処理を再度試みる。
【０１３７】
Ｓ１２４．ビット誤り率判定手段は、ビット誤り率判定信号を移行決定イネーブル信号としてパス・サーチ窓決定装置に供給する。該移行決定イネーブル信号を受けたパス・サーチ窓決定装置は、当該セクタ上のセグメント毎に有効パス数（ＮSEG ）を計数する。
Ｓ１２５．パス・サーチ窓決定装置は、計数した有効パス数が最も多いセグメントを選択してパス・サーチ窓とする。
【０１３８】
次いで、図２２の場合は下記の通りである。
Ｓ１１１’．相関器は、特定の拡散符号を使用して受信信号との相関値を求め、該相関値を第一の平均化手段に入力する。
ここで、受信信号Ｒ（ｔ）は式（１）で与えられる。
又、相関器の出力Ｒh （ｔ）は式（２）で表わされる。
【０１３９】
Ｓ１１２’．第一の平均化手段は、所定数のスロットにわたって該相関値を平均化する。これをＲhAV （ｔ）とする。
Ｓ１１３’．閾値計算手段は、第一の平均化手段の出力を使用して有効パス判定のための閾値を計算する。
閾値Ｌ1 は式（３）で表わされる。
【０１４０】
Ｓ１１４’．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
Ｓ１１５’．セクタ選択装置において遅延分散算出手段は、有効パス検出装置の出力毎に有効パスの遅延時間の分散を求める。
【０１４１】
Ｓ１１６’．セクタ選択装置において大小比較手段は、各々の遅延分散算出手段の出力の大小を比較して、遅延分散が最も大きい有効パス検出装置の出力を選択するようにセレクタに選択信号を出力する。これにより、セレクタは遅延分散が最も小さい有効パス検出装置の出力を選択して出力する。即ち、パスサーチ窓設定に使用されるセクタを選択する。
【０１４２】
そして、次回のパス・サーチ窓設定に使用するために、選択したセクタ情報を拡散符号発生装置に転送しておく。
Ｓ１１７’．一方、拡散符号発生装置は、前回の処理の結果決定されたセクタ情報に従って拡散符号を発生する。
Ｓ１１８’．逆拡散装置は、該拡散符号を使用して受信信号を復調して復調情報を出力する。
【０１４３】
Ｓ１１９’．ビット誤り率計算手段は、該復調情報から同期ワードを検出する。
Ｓ１２２’．該同期ワードのビット誤り率を算出する。
Ｓ１２３’．ビット誤り率判定手段は、ステップＳ１２２で求めたビット誤り率が所定のビット誤り率以下であるか否か判定する。
【０１４４】
ビット誤り率が所定のビット誤り率を超える場合（Ｎｏ）には、一旦処理を終了して上記処理を再度試みる。
Ｓ１２４’．ビット誤り率判定手段は、ビット誤り率判定信号を移行決定イネーブル信号としてパス・サーチ窓決定装置に供給する。該移行決定イネーブル信号を受けたパス・サーチ窓決定装置は、当該セクタ上のセグメント毎に有効パス数（ＮSEG ）を計数する。
【０１４５】
Ｓ１２５’．パス・サーチ窓決定装置は、計数した有効パス数が最も多いセグメントを選択してパス・サーチ窓とする。
つまり、本発明の第六の実施の形態における遅延分散を算出するケースに、有効パスの珍時間の平均値を求めて、該平均値を含むセグメントをパス・サーチ窓とするものである。
【０１４６】
即ち、本発明の第六の実施の形態では、セクタ選択装置において有効パス検出装置の出力毎に有効パスの振幅の総和又は有効パスの遅延時間の分散を算出し、有効パスの振幅の総和を算出する場合には総和が最も大きい有効パス検出装置の出力を選択し、有効パスの遅延時間の分散を算出する場合には遅延分散が最も大きい有効パス検出装置の出力を選択してパス・サーチに使用するセクタとし、当該セクタ上で有効パス数が最も多いタイミングが最も確からしいパス・タイミングであるとして当該タイミングを含むセグメントをパス・サーチ窓として決定する。
【０１４７】
即ち、本発明の第六の実施の形態は、本発明の第一の実施の形態において有効パスの振幅の総和又は有効パスの遅延分散を利用して複数の有効パス検出装置の出力から特定の有効パス検出装置の出力を選択するものである。
従って、セクタ毎の有効パスの振幅の総和が最も大きいセクタを選択する方式は、多くの有効パスが存在したり、遅延スプレッドが大きい場合に最も確からしいセクタを選択することができて、パス・サーチ窓の信頼度を高めることができる。又、セクタ毎の有効パスの遅延分散が最も大きいセクタを選択する方式は、多くの有効パスが存在しても分散が最大なので最も確からしいセクタを選択することができて、やはり、パス・サーチ窓の信頼度を高めることができる。
【０１４８】
尚、有効パスの振幅の総和又は有効パスの遅延分散を利用して複数の有効パス検出装置の出力から特定の有効パス検出装置の出力を選択することは本発明の第二乃至第五の実施の形態にも適用することが可能である。
図６は、本発明の第七の実施の形態の基本構成、図１１は、本発明の第七の実施の形態におけるセクタ選択装置の構成、図１４は第一の平均化手段の機能と概略構成を示す図で、図６、図１１及び図１４の組合せで本発明の第一の実施の形態の構成が明らかにされる。
【０１４９】
図６において、１は有効パスのタイミングと該有効パスの振幅の情報を検出して出力する有効パス検出装置で、送信側で使用した拡散符号と同一の拡散符号と受信信号との相関をとる相関器１１、相関器１１の出力の平均値を計算する第一の平均化手段１２、相関器１１の出力から有効パスを検出するための閾値を計算する閾値計算手段１３、第一の平均化手段１２の出力の振幅が閾値計算手段１３の出力の振幅を超える時に有効パスのタイミングと該有効パスの振幅を出力する比較手段１４を備えている。
【０１５０】
２ｂは、複数の有効パス検出装置の出力から１つの有効パス検出装置の出力、即ち、特定のセクタに対応する有効パス検出装置の出力を選択すると共に、当該有効パス検出装置の出力に対応する有効パスの遅延時間の平均値を選択するセクタ選択装置で、構成は図１１に示すようになっている。
即ち、複数の有効パス検出装置の出力毎に遅延分散を算出する遅延分散算出手段２４、２４ａ及び２４ｂ、遅延分散算出手段２４、２４ａ及び２４ｂが出力する有効パスの遅延時間を平均化する第三の平均化手段２５、２５ａ及び２５ｂ、遅延分散算出手段２４、２４ａ及び２４ｂが出力する遅延分散の大小を比較する大小比較手段２３、大小比較手段２３が出力する選択信号によって複数の有効パス検出装置の出力から特定の出力を選択するセレクタ２１、及び、大小比較手段２３が出力する選択信号によって当該有効パス検出装置の出力に対応する第三の平均化手段の出力を選択するセレクタ２１ａによって構成される。
【０１５１】
５は、セクタ選択装置２ａが出力するセクタ情報、即ち、有効パス検出装置の出力よって制御されて拡散符号を発生する拡散符号発生装置、６は、拡散符号発生装置５が出力する拡散符号によって受信信号から送信された通信信号を抽出即ち復調する逆拡散装置である。そして、逆拡散装置の出力が復調情報となる。
７は、該復調情報から同期ワードを検出してビット誤り率を計算するビット誤り率計算手段である。
【０１５２】
３ａは、パス・サーチ窓の決定処理への移行を決定する移行決定装置で、この場合にはビット誤り率計算手段７の計算したビット誤り率が所定のビット誤り率以下の時にビット誤り率判定信号を移行決定イネーブル信号として出力するビット誤り率判定手段３３を備えている。
４ｂは、ビット誤り率判定手段３３の出力を移行決定イネーブル信号として受け、セクタ選択装置２ａが選択した有効パス検出手段の出力からサーチ窓を決定するパス・サーチ窓決定装置で、パス・サーチ窓決定装置４は希望局の存在が最も確からしいセクタ上で最も確からしいタイミングを示すセグメント情報を出力する。
【０１５３】
ここで、セクタ選択装置２ｂ、移行決定装置３ａ、パス・サーチ窓決定装置４ｂ、拡散符号発生装置５及び逆拡散装置６は１つのセクタ受信装置に固有のものである。即ち、図６には複数のセクタ受信装置が備える有効パス検出装置１と、単一のセクタ受信装置が備えるセクタ選択装置２ｂ、移行決定装置３ａ、パス・サーチ窓決定装置４ｂ、拡散符号発生装置５、逆拡散装置６及びビット誤り率計算手段７が示されており、これらの構成要素によって本発明のパス・サーチ窓設定装置が構成される。
【０１５４】
図２３は、本発明の第七の実施の形態の動作を示すフローチャートである。以降、図２３の符号にそって本発明の第七の実施の形態の動作を説明する。
Ｓ１３１．相関器は、特定の拡散符号を使用して受信信号との相関値を求め、該相関値を第一の平均化手段に入力する。
ここで、受信信号Ｒ（ｔ）は式（１）で与えられる。
【０１５５】
又、相関器の出力Ｒh （ｔ）は式（２）で表わされる。
Ｓ１３２．第一の平均化手段は、所定数のスロットにわたって該相関値を平均化する。これをＲhAV （ｔ）とする。
Ｓ１３３．閾値計算手段は、第一の平均化手段の出力を使用して有効パス判定のための閾値を計算する。
【０１５６】
閾値Ｌ1 は式（３）で表わされる。
Ｓ１３４．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
Ｓ１３５．セクタ選択装置において第三の平均化手段は、遅延分散算出手段が出力する有効パス検出装置の出力毎の有効パスの遅延時間の平均を算出する。
【０１５７】
Ｓ１３６．セクタ選択装置において遅延分散算出手段は、有効パス検出装置の出力毎に有効パスの遅延分散を算出する。
Ｓ１３７．セクタ選択装置において大小比較手段は、各々の遅延分散算出手段の出力の大小を比較して、遅延分散が最も小さい有効パス検出装置の出力と当該有効パス検出装置の出力における有効パスの遅延時間の平均値を選択するための選択信号を出力する。これにより、２つのセレクタは遅延分散が最も小さい有効パス検出装置の出力と当該有効パス検出装置の出力における有効パスの遅延時間の平均値を選択して出力する。即ち、パス・サーチ窓設定に使用するセクタと当該セクタにおける有効パスの遅延時間の平均値を選択する。
【０１５８】
そして、次回のパス・サーチ窓設定に使用するために、選択したセクタ情報を拡散符号発生装置に転送しておく。
Ｓ１３８．一方、拡散符号発生装置は、前回の処理の結果決定されたセクタ情報に従って拡散符号を発生する。
Ｓ１３９．逆拡散装置は、該拡散符号を使用して受信信号を復調して復調情報を出力する。
【０１５９】
Ｓ１４０．ビット誤り率計算手段は、該復調情報から同期ワードを検出する。
Ｓ１４３．該同期ワードのビット誤り率を算出する。
Ｓ１４４．ビット誤り率判定手段は、ステップＳ１４３で求めたビット誤り率が所定のビット誤り率以下であるか否か判定する。
ビット誤り率が所定のビット誤り率を超える場合（Ｎｏ）には、一旦処理を終了して上記処理を再度試みる。
【０１６０】
Ｓ１４５．ステップＳ１４４で、ビット誤り率が所定のビット誤り率以下であるかと判定した場合（Ｙｅｓ）には、ビット誤り率判定手段は、ビット誤り率判定信号を移行決定イネーブル信号としてパス・サーチ窓決定装置に供給する。
該移行決定イネーブル信号を受けたパス・サーチ窓決定装置は、当該セクタ上で、有効パスの遅延時間の平均値を含むセグメントを選択してパス・サーチ窓とする。
【０１６１】
図１は、本発明の第一、第六及び第八の実施の形態の基本構成、図１２は、本発明の第八の実施の形態におけるセクタ選択装置の構成（その１）、図１３は、本発明の第八の実施の形態におけるセクタ選択装置の構成（その２）、図１４は第一の平均化手段の機能と概略構成を示す図で、図１、図１２又は図１３、及び図１４の組合せで本発明の第一の実施の形態の構成が明らかにされる。
【０１６２】
図１において、１は、有効パスのタイミングと該有効パスの振幅の情報を検出して出力する有効パス検出装置で、セルを分割したセクタの数だけ有効パス検出装置が存在する。即ち、有効パス検出装置は基地局を構成するセクタ受信装置に固有のものである
そして、有効パス検出装置１は、送信側で使用した拡散符号と同一の拡散符号と受信信号との相関をとる相関器１１、相関器１１の出力の平均値を計算する第一の平均化手段１２、第一の平均化手段１２の出力から有効パスを検出するための閾値を計算する閾値計算手段１３、第一の平均化手段１２の出力の振幅が閾値計算手段１３の出力の振幅を超える時に有効パスのタイミングと該有効パスの振幅を出力する比較手段を備えている。
【０１６３】
２ａは、複数の有効パス検出装置の出力から１つの有効パス検出装置の出力、即ち、希望局の存在が最も確からしい特定のセクタに対応する有効パス検出装置の出力を選択するセクタ選択装置で、図１２又は図１３に示す構成になっている。
先ず、図１０の場合には、複数の有効パス検出装置の出力毎に有効パスの振幅に対する重み係数を格納している重み係数格納手段２６、２６ａ及び２６ｂ、有効パス検出手段の出力に該重み係数を乗算する乗算器２７、２７ａ及び２７ｂ、複数の乗算器の出力毎に所定期間総和を求める総和手段２２、２２ａ及び２２ｂ、複数の総和手段の出力の大小比較をする大小比較手段２３及び大小比較手段２３の出力を選択信号として複数の有効パス検出装置の出力のうち１つを選択するセレクタ２１によってセクタ選択装置２ｂが構成される。次いで、図１２の場合には、複数の有効パス検出装置の出力毎に有効パスの遅延時間に対する重み係数を格納している重み係数格納手段２８、２８ａ及び２８ｂ、有効パス検出手段の出力に該重み係数を乗算する乗算器２７、２７ａ及び２７ｂ、複数の乗算器の出力毎に遅延時間の分散を算出する遅延分散算出手段２４、２４ａ及び２４ｂ、複数の遅延分散算出手段の出力の大小比較をする大小比較手段２３及び大小比較手段２３の出力を選択信号として複数の有効パス検出装置の出力のうち１つを選択するセレクタ２１によってセクタ選択装置２ａが構成される。
【０１６４】
５は、セクタ選択装置２ａが出力するセクタ情報、即ち、有効パス検出装置の出力よって制御されて拡散符号を発生する拡散符号発生装置、６は、拡散符号発生装置５が出力する拡散符号によって受信信号から送信された通信信号を抽出する逆拡散装置である。そして、逆拡散装置の出力が復調情報となる。
７は、該復調情報から同期ワードを検出してビット誤り率を計算するビット誤り率計算手段である。
【０１６５】
３ａは、パス・サーチ窓の決定処理への移行を決定する移行決定装置で、この場合にはビット誤り率計算手段７の計算したビット誤り率が所定のビット誤り率以下の時にビット誤り率判定信号を移行決定イネーブル信号として出力するビット誤り率判定手段３３を備えている。
４ａは、ビット誤り率判定手段３３の出力を移行決定イネーブル信号として受け、セクタ選択装置２ａが選択した有効パス検出手段の出力からサーチ窓を決定するパス・サーチ窓決定装置で、パス・サーチ窓決定装置４は希望局の存在が最も確からしいセクタ上で最も確からしいタイミングを示すセグメント情報を出力する。
【０１６６】
ここで、セクタ選択装置２ａ、移行決定装置３ａ、パス・サーチ窓決定装置４ａ、拡散符号発生装置５及び逆拡散装置６は１つのセクタ受信装置に固有のものである。即ち、図６には複数のセクタ受信装置が備える有効パス検出装置１と、単一のセクタ受信装置が備えるセクタ選択装置２ａ、移行決定装置３ａ、パス・サーチ窓決定装置４ａ、拡散符号発生装置５、逆拡散装置６及びビット誤り率計算手段７が示されており、これらの構成要素によって本発明のパス・サーチ窓設定装置が構成される。
【０１６７】
図２４は、本発明の第八の実施の形態の動作を示すフローチャート（その１）、図２５は、本発明の第八の実施の形態の動作を示すフローチャート（その２）である。以降、図２４又は図２５の符号に沿って本発明の第八の実施の形態の動作を説明する。
先ず、図２４の場合は下記の通りである。
【０１６８】
Ｓ１５１．相関器は、特定の拡散符号を使用して受信信号との相関値を求め、該相関値を第一の平均化手段に入力する。
ここで、受信信号Ｒ（ｔ）は式（１）で与えられる。
又、相関器の出力Ｒh （ｔ）は式（２）で表わされる。
Ｓ１５２．第一の平均化手段は、所定数のスロットにわたって該相関値を平均化する。これをＲhAV （ｔ）とする。
【０１６９】
Ｓ１５３．閾値計算手段は、第一の平均化手段の出力を使用して有効パス判定のための閾値を計算する。
閾値Ｌ1 は式（３）で表わされる。
Ｓ１５４．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
【０１７０】
Ｓ１５５．セクタ選択装置において乗算器は、複数の有効パス検出装置の出力毎に有効パスの振幅の重み係数を乗算する。
Ｓ１５６．セクタ選択装置において総和手段は、複数の乗算器の出力毎に有効パスの振幅の総和を求める。
Ｓ１５７．セクタ選択装置において大小比較手段は、各々の総和手段の出力の大小を比較して、総和が最も大きい有効パス検出装置の出力を選択するようにセレクタに選択信号を出力する。これにより、セレクタは総和が最も大きい有効パス検出装置の出力を選択して出力する。即ち、パス・サーチ窓設定に使用するセクタを選択する。
【０１７１】
そして、次回のパス・サーチ窓設定に使用するために、選択したセクタ情報を拡散符号発生装置に転送しておく。
Ｓ１５８．一方、拡散符号発生装置は、前回の処理の結果決定されたセクタ情報に従って拡散符号を発生する。
Ｓ１５９．逆拡散装置は、該拡散符号を使用して受信信号を復調して復調情報を出力する。
【０１７２】
Ｓ１６０．ビット誤り率計算手段は、該復調情報から同期ワードを検出する。
Ｓ１６３．該同期ワードのビット誤り率を算出する。
Ｓ１６４．ビット誤り率判定手段は、ステップＳ１２２で求めたビット誤り率が所定のビット誤り率以下であるか否か判定する。
ビット誤り率が所定のビット誤り率を超える場合（Ｎｏ）には、一旦処理を終了して上記処理を再度試みる。
【０１７３】
Ｓ１６５．ステップＳ１６４で、ビット誤り率が所定のビット誤り率以下であると判定した場合（Ｙｅｓ）には、ビット誤り率判定手段は、ビット誤り率判定信号を移行決定イネーブル信号としてパス・サーチ窓決定装置に供給する。該移行決定イネーブル信号を受けたパス・サーチ窓決定装置は、当該セクタ上のセグメント毎に有効パス数（ＮSEG ）を計数する。
【０１７４】
Ｓ１６６．パス・サーチ窓決定装置は、計数した有効パス数が最も多いセグメントを選択してパス・サーチ窓とする。
次いで、図２５の場合は下記の通りである。
Ｓ１５１’．相関器は、特定の拡散符号を使用して受信信号との相関値を求め、該相関値を第一の平均化手段に入力する。
【０１７５】
ここで、受信信号Ｒ（ｔ）は式（１）で与えられる。
又、相関器の出力Ｒh （ｔ）は式（２）で表わされる。
Ｓ１５２’．第一の平均化手段は、所定数のスロットにわたって該相関値を平均化する。これをＲhAV （ｔ）とする。
Ｓ１５３’．閾値計算手段は、第一の平均化手段の出力を使用して有効パス判定のための閾値を計算する。
【０１７６】
閾値Ｌ1 は式（３）で表わされる。
Ｓ１５４’．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
Ｓ１５５’．セクタ選択装置において乗算器は、複数の有効パス検出装置の出力毎に有効パスの遅延時間の重み係数を乗算する。
【０１７７】
Ｓ１５６’．セクタ選択装置において遅延分散算出手段は、複数の乗算器の出力毎に有効パスの遅延時間の分散を求める。
Ｓ１５７’．セクタ選択装置において大小比較手段は、各々の遅延分散算出手段の出力の大小を比較して、遅延分散が最も大きい有効パス検出装置の出力を選択するようにセレクタに選択信号を出力する。これにより、セレクタは遅延分散が最も大きい有効パス検出装置の出力を選択して出力する。即ち、パス・サーチ窓設定に使用するセクタを選択する。
【０１７８】
そして、次回のパス・サーチ窓設定に使用するために、選択したセクタ情報を拡散符号発生装置に転送しておく。
Ｓ１５８’．一方、拡散符号発生装置は、前回の処理の結果決定されたセクタ情報に従って拡散符号を発生する。
Ｓ１５９’．逆拡散装置は、該拡散符号を使用して受信信号を復調して復調情報を出力する。
【０１７９】
Ｓ１６０’．ビット誤り率計算手段は、該復調情報から同期ワードを検出する。
Ｓ１６３’．該同期ワードのビット誤り率を算出する。
Ｓ１６４’．ビット誤り率判定手段は、ステップＳ１６３’で求めたビット誤り率が所定のビット誤り率以下であるか否か判定する。
【０１８０】
ビット誤り率が所定のビット誤り率を超える場合（Ｎｏ）には、一旦処理を終了して上記処理を再度試みる。
Ｓ１６５’．ステップＳ１６４’で、ビット誤り率が所定のビット誤り率以下であると判定した場合（Ｙｅｓ）には、ビット誤り率判定手段は、ビット誤り率判定信号を移行決定イネーブル信号としてパス・サーチ窓決定装置に供給する。該移行決定イネーブル信号を受けたパス・サーチ窓決定装置は、当該セクタ上のセグメント毎に有効パス数（ＮSEG ）を計数する。
【０１８１】
Ｓ１６６’．パス・サーチ窓決定装置は、計数した有効パス数が最も多いセグメントを選択してパス・サーチ窓とする。
即ち、本発明の第八の実施の形態は、本発明の第一の実施の形態において重み係数を考慮して計算した有効パスの振幅の総和又は有効パスの遅延分散を利用して複数の有効パス検出装置の出力から特定の有効パス検出装置の出力を選択するものである。
【０１８２】
従って、セクタ毎の有効パスの振幅の総和が最も大きいセクタを選択する方式は、多くの有効パスが存在したり、遅延スプレッドが大きい場合に最も確からしいセクタを選択することができて、パス・サーチ窓の信頼度を高めることができる。又、セクタ毎の有効パスの遅延分散が最も大きいセクタを選択する方式は、多くの有効パスが存在しても分散が最小なので最も確からしいセクタを選択することができて、やはり、パス・サーチ窓の信頼度を高めることができる。
【０１８３】
尚、本発明の第八の実施の形態は、重み係数を考慮して計算した有効パスの振幅の総和又は有効パスの遅延分散を利用して複数の有効パス検出装置の出力から特定の有効パス検出装置の出力を選択することは、本発明の第二乃至第七の実施の形態にも適用することが可能である。
図７は、本発明の第九の実施の形態の基本構成、図８は、本発明の第一乃至第五及び第九の実施の形態におけるセクタ選択装置の構成、図１４は第一の平均化手段の機能と概略構成を示す図である。即ち、図７、図８及び図１４の組合せによって本発明の第九の実施の形態の構成が明らかにされる。
【０１８４】
図７において、１ｂは、有効パスのタイミングと該有効パスの振幅の情報を検出して出力する有効パス検出装置で、セルを分割したセクタの数だけ有効パス検出装置が存在する。即ち、有効パス検出装置は基地局を構成するセクタ受信装置に固有のものである
そして、有効パス検出装置１ｂは、送信側で使用した拡散符号と同一の拡散符号と受信信号との相関をとる相関器１１、相関器１１の出力の平均値を計算する第一の平均化手段１２、有効パスを検出するための閾値を設定しておく閾値設定手段１６、第一の平均化手段１２の出力の振幅が閾値設定手段１６の出力の振幅を超える時に有効パスのタイミングと該有効パスの振幅を出力する比較手段を備えている。
【０１８５】
２ａは、複数の有効パス検出装置の出力から１つの有効パス検出装置の出力、即ち、希望局の存在が最も確からしい特定のセクタに対応する有効パス検出装置の出力（「セクタ情報」と略記することがある。）を選択するセクタ選択装置で、図８に示す如く、各々の有効パス検出手段の出力における有効パスを比較する大小比較手段２３及び各々の有効パス検出手段の出力を選択するセレクタ２１によって構成される。尚、セクタ選択装置２ａが出力するセクタ情報は後述する拡散符号発生装置に供給される。
【０１８６】
５は、セクタ選択装置２ａが出力するセクタ情報、即ち、有効パス検出装置の出力よって制御されて拡散符号を発生する拡散符号発生装置、６は、拡散符号発生装置５が出力する拡散符号によって受信信号から送信された通信信号を抽出即ち復調する逆拡散装置である。そして、逆拡散装置の出力が復調情報となる。
７は、該復調情報から同期ワードを検出してビット誤り率を計算するビット誤り率計算手段である。
【０１８７】
３ａは、パス・サーチ窓の決定処理への移行を決定する移行決定装置で、この場合にはビット誤り率計算手段７の計算結果が所定のビット誤り率以下の時に移行決定イネーブル信号を出力するビット誤り率判定手段３３を備えている。
４ａは、ビット誤り率判定手段３３の出力を移行決定イネーブル信号として受け、セクタ選択装置２ａが選択した有効パス検出手段の出力からサーチ窓を決定するパス・サーチ窓決定装置で、パス・サーチ窓決定装置４は希望局の存在が最も確からしいセクタ上で最も確からしいタイミングを示すセグメント情報とを出力する。
【０１８８】
ここで、セクタ選択装置２ａ、移行決定装置３ａ、パス・サーチ窓決定装置４ａ、拡散符号発生装置５及び逆拡散装置６は１つのセクタ受信装置に固有のものである。即ち、図７には複数のセクタ受信装置が備える有効パス検出装置１ｂと、単一のセクタ受信装置が備えるセクタ選択装置２ａと、移行決定装置３ａ、パス・サーチ窓決定装置４ａ、拡散符号発生装置５、逆拡散装置６及びビット誤り率計算手段７が示されており、これらの構成要素によって本発明のパス・サーチ窓設定装置が構成される。
【０１８９】
図２６は、本発明の第九の実施の形態の動作を示すフローチャートである。以降、図２６の符号に沿って本発明の第九の実施の形態の動作を説明する。
Ｓ１７１．相関器は、特定の拡散符号を使用して受信信号との相関値を求め、該相関値を第一の平均化手段に入力する。
ここで、受信信号Ｒ（ｔ）は式（１）で与えられる。
【０１９０】
又、相関器の出力Ｒh （ｔ）は式（２）で表わされる。
Ｓ１７２．第一の平均化手段は、所定数のスロットにわたって該相関値を平均化する。これをＲhAV （ｔ）とする。
Ｓ１７３．閾値設定手段から、有効パス判定のための閾値を読み出す。
Ｓ１７４．比較手段は、第一の平均化手段の出力振幅と閾値設定手段の出力振幅を比較して、第一の平均化手段の出力振幅が閾値設定手段の出力振幅以上の時に第一の平均化手段の出力を送出する。
【０１９１】
Ｓ１７５．セクタ選択装置は、複数の有効パス検出装置の出力における有効パス数（ＮSECT）を計数する。
Ｓ１７６．ステップＳ１７５で計数した有効パス数を比較して、有効パス数が最も多い有効パス検出装置の出力を最も確からしいものとして選択して出力する。即ち、これがパス・サーチ窓決定装置がパス・サーチ窓の決定に使用するセクタの情報となる。
【０１９２】
そして、次回のパス・サーチ窓設定に使用するために、選択したセクタ情報を拡散符号発生装置に転送しておく。
Ｓ１７７．一方、拡散符号発生装置は、前回の処理の結果決定されたセクタ情報に従って拡散符号を発生する。
Ｓ１７８．逆拡散装置は、該拡散符号を使用して受信信号を復調して復調情報を出力する。
【０１９３】
Ｓ１７９．ビット誤り率計算手段は、該復調情報から同期ワードを検出する。
Ｓ１８２．該同期ワードのビット誤り率を算出する。
Ｓ１８３．ビット誤り率判定手段は、ステップＳ１８２で求められたビット誤り率が所定のビット誤り率以下であるか否か判定する。
ビット誤り率が所定のビット誤り率を超える場合（Ｎｏ）には、一旦処理を終了して上記処理を再度試みる。
【０１９４】
Ｓ１８４．ビット誤り率判定手段は、ビット誤り率判定信号を移行決定イネーブル信号としてパス・サーチ窓決定装置に供給する。該移行決定イネーブル信号を受けたパス・サーチ窓決定装置は、当該セクタ上のセグメント毎に有効パス数（ＮSEG ）を計数する。
Ｓ１８５．パス・サーチ窓決定装置は、計数した有効パス数が最も多いセグメントを選択してパス・サーチ窓とする。
【０１９５】
つまり、本発明の第九の実施の形態は、本発明の第一の実施の形態において設定された閾値を基準にして有効パスの選択を行なうものである。
即ち、本発明の第九の実施の形態では、基地局においてパス・サーチ窓設定装置は希望局の複数のパスの希望波、複数の干渉局の複数のパスの干渉波及び雑音電波が重畳されている中から相関値の平均振幅が設定されている閾値を超える時に有効パスがあり得ると判断し、有効パス数が最も多いセクタを使用して当該セクタ上で最も有効パス数が多いセグメントをパス・サーチ窓として決定する。しかも、仮に計算したビット誤り率が所定値以下の時にパス・サーチ窓決定処理への移行を促す移行決定イネーブル信号を出力して上記処理を行なう。
【０１９６】
このセグメントの時間はセル全体における遅延時間と比較して極めて短いので、パス・タイミングを追跡するための時間を大幅に短縮することができる。即ち、パス・サーチ窓設定装置の回路規模及び処理規模を大幅に縮減することができる。しかも、仮に計算したビット誤り率が所定値以下の時にパス・サーチ窓決定処理への移行を促す移行決定イネーブル信号を出力して上記処理を行なうので、干渉局の通信信号や雑音電波と希望局の拡散符号との相関値が偶然に希望局の通信信号と希望局の拡散符号との相関値を上回って最大値を示すことがあっても、該最大値を示すタイミングを直ちにパス・タイミングであると誤認する恐れが縮減され、パス・サーチの信頼度を向上させることができる。
【０１９７】
尚、設定された閾値を基準にして有効パスの選択を行なうことは本発明の第二乃至第八の実施の形態においても適用可能である。
（付記１）    送信側で使用した拡散符号と同一の拡散符号と受信信号との相関をとる相関器と、該相関器が出力する相関値を所定期間にわたって平均化する第一の平均化手段と、該相関器が出力する相関値を使用して閾値を計算する閾値計算手段と、該第一の平均化手段が出力する平均値を該閾値計算手段が出力する閾値と比較して該平均値が該閾値を超えるタイミングと該平均値とを出力してセクタ毎に有効パスの存在可能性を示唆する比較手段とを有する複数の有効パス検出装置と、
全ての有効パス検出装置に共通に、
該有効パス検出装置の出力を受けて、有効パス数の大小を比較する大小比較手段と該大小比較手段の出力によって１つの有効パス検出装置の出力を選択するセレクタより成るセクタ選択装置と、該セクタ選択装置の出力に応じた拡散符号を生成する拡散符号生成装置と、該拡散符号生成装置が出力を拡散符号によって受信信号を復調する復調装置と、該復調装置の出力のビット誤り率を計算するビット誤り率計算手段と、該ビット誤り率計算手段の出力が所定のビット誤り率以下である時にパス・サーチ窓決定処理への移行を決定する信号を出力する移行決定装置と、該移行決定装置が出力する移行決定信号と該セクタ選択装置の出力を受けてパス・サーチ窓を決定するパス・サーチ窓決定装置とを備える
ことを特徴とするパス・サーチ窓設定装置。
【０１９８】
（付記２）    付記１記載のパス・サーチ窓設定装置において、
上記ビット誤り率計算手段は、
上記復調装置の出力に対して重み係数を乗じてビット誤り率を計算する
ことを特徴とするパス・サーチ窓設定装置。
（付記３）    付記１乃び付記２のいずれかに記載のパス・サーチ窓設定装置において、
上記移行決定装置は、
上記ビット誤り率判定手段と、上記有効パス検出装置の出力を受けて複数のセクタのうち１つでも有効パスの存在可能性があることを検出して有効信号を出力する有効パス検出手段と、該ビット誤り率判定手段又は該有効パス検出手段が有効信号を出力する時に上記パス・サーチ窓決定手段にイネーブル信号を供給するイネーブル手段とによって成る
ことを特徴とするパス・サーチ窓設定装置。
【０１９９】
（付記４）    付記１乃至付記３のいずれかに記載のパス・サーチ窓設定装置において、
上記移行決定装置が所定回数連続してパス・サーチ窓の決定処理への移行を決定した時に上記パス・サーチ窓決定装置へのイネーブル信号を出力する連続検出手段を備える
ことを特徴とするパス・サーチ窓設定装置。
【０２００】
（付記５）    付記１乃至付記４のいずれかに記載のパス・サーチ窓設定装置において、
上記有効パス検出装置毎に、
更に、上記比較手段の出力を所定回数にわたって平均化する第二の平均化手段を付加する
ことを特徴とするパス・サーチ窓設定装置。
【０２０１】
（付記６）    付記１又は付記５のいずれかに記載のパス・サーチ窓設定装置において、
上記セクタ選択装置の代わりに、
上記有効パス検出装置毎に有効タイミングにおける上記有効パス検出装置の出力の総和を計算する総和手段又は有効タイミングの遅延時間の分散を計算する遅延分散計算手段のいずれかと、該総和手段又は該遅延分散計算手段のいずれかの出力の比較を行なう大小比較手段と、該大小比較手段の出力に対応する有効パス検出装置の出力を選択するセレクタより成るセクタ選択装置を配置する
ことを特徴とするパス・サーチ窓設定装置。
【０２０２】
（付記７）    付記６記載のパス・サーチ窓設定装置において、
上記セクタ選択装置が上記遅延分散計算手段を備える場合に、
該セクタ選択装置は、
該遅延分散計算手段と、該遅延分散計算手段の出力を平均化する第三の平均化手段と、該第三の平均化手段の出力の大小を比較すに大小比較手段と、該大小比較手段の出力に対応する有効パス検出装置の出力を選択するセレクタより成る
ことを特徴とするパス・サーチ窓設定装置。
【０２０３】
（付記８）  付記６又は付記７のいずれかに記載のパス・サーチ窓設定装置において、
上記総和手段が上記有効パス検出装置毎に有効タイミングにおける上記有効パス検出装置の出力の総和を計算する時には振幅に対する重み付けを行ない、上記遅延分散計算手段が有効タイミングの遅延時間の分散を計算する時には遅延時間に対する重み付けを行なう
ことを特徴とするパス・サーチ窓設定装置。
【０２０４】
（付記９）  付記１乃至付記８のいずれかに記載のパス・サーチ窓設定装置において、
上記有効パス検出装置が、
上記閾値計算手段の代わりに、予め閾値を設定しておく閾値設定手段を備えることを特徴とするパス・サーチ窓設定装置。
【０２０５】
【発明の効果】
以上詳述した如く、本発明によれば、多元接続方式として符号分割多元接続方式を適用するセルラ通信システムのパス・サーチ窓設定装置において、基地局が通信を希望する移動局から送信された信号を受信してベースバンド信号に逆拡散する際に必要となる基地局の絶対基準時刻であるパス・タイミングを検出する際に、正確にパス・タイミングを検出できると共に、パス・タイミングが移動局の移動に伴って変化することがあってもその変化するパス・タイミングを追跡する時間窓即ちパス・サーチ窓を必要最小限の幅で素早く設定することが可能なパス・サーチ設定装置を実現することができる。
【０２０６】
即ち、第一の発明によれば、有効パス検出装置毎に該相関器が出力する該相関値を所定時間にわたって平均化する第一の平均化手段と該第一の平均化手段が出力する平均値を受信信号に基づいて計算した閾値と比較して該平均値が該閾値を超えるタイミングを有効パスが存在する可能性が高いパス・タイミングであると判定する比較手段を備えているので、偶然に干渉電波又は雑音電波との相関値が大きくなることがあってもこのタイミングの相関値の影響は平均化によって縮減され、パス・タイミングを誤認識する恐れが少なくなる。更に、該セクタ選択装置の出力に応じた拡散符号によって受信信号を復調して、復調信号のビット誤り率が所定値以下の時にパス・サーチ窓決定の処理に移行するので、パス・サーチ窓を正確に決定することが可能になる。
【０２０７】
又、第二の発明によれば、第一の発明において、上記ビット誤り率計算手段は、上記乗算器の出力に対して重み係数を乗じてビット誤り率を計算するので、パス・サーチ窓を更に正確に決定することが可能になる。
又、第三の発明によれば、第一の発明乃び第二の発明のいずれかにおいて、上記移行決定装置は、上記ビット誤り率判定手段と、上記有効パス検出装置の出力を受けて複数のセクタのうち１つでも有効パスの存在可能性があることを検出する有効パス検出手段と、該ビット誤り率判定手段と該有効パス検出手段のいずれかが有効信号を出力する時に上記パス・サーチ窓決定手段にイネーブル信号を供給するイネーブル手段とによって成るので、従来の技術以上に確実な判定基準による上パス・サーチ窓決定処理への移行のフレキシビリティを増すことができる。そして、特に、該ビット誤り率判定手段と該有効パス検出手段のいずれもが有効信号を出力する時にはパス・サーチ窓決定処理への移行の確実さが更に高まる。
【０２０８】
又、第四の発明によれば、第一の発明乃至第三の発明のいずれかのパス・サーチ窓設定装置において、上記移行決定装置が所定回数連続してパス・サーチ窓の決定処理への移行を決定した時に上記パス・サーチ窓決定装置へのイネーブル信号を出力する連続検出手段を備えるので、パス・サーチ窓決定処理への移行の信頼度を更に高くすることができる。
【０２０９】
更に、第五の発明によれば、第一の発明乃至第四の発明のいずれかのパス・サーチ窓設定装置において、上記有効パス検出装置毎に、更に、上記比較手段の出力を所定回数にわたって平均化する第二の平均化手段を付加するので、偶然に干渉電波又は雑音電波との相関値が大きくなることがあってもこのタイミングの相関値の影響は第二の平均化手段による平均化によって更に縮減され、パス・タイミングを誤認識する恐れが少なくなる。
【図面の簡単な説明】
【図１】  本発明の第一、第六及び第八の実施の形態の基本構成。
【図２】  本発明の第二の実施の形態の基本構成。
【図３】  本発明の第三の実施の形態の基本構成。
【図４】  本発明の第四の実施の形態の基本構成。
【図５】  本発明の第五の実施の形態の基本構成。
【図６】  本発明の第七の実施の形態の基本構成。
【図７】  本発明の第九の実施の形態の基本構成。
【図８】  本発明の第一乃至第五及び第九の実施の形態におけるセクタ選択装置の構成。
【図９】  本発明の第六の実施の形態におけるセクタ選択装置の構成（その１）。
【図１０】  本発明の第六の実施の形態におけるセクタ選択装置の構成（その２）。
【図１１】  本発明の第七の実施の形態におけるセクタ選択装置の構成。
【図１２】  本発明の第八の実施の形態におけるセクタ選択装置の構成（その１）。
【図１３】  本発明の第八の実施の形態におけるセクタ選択装置の構成（その２）。
【図１４】  第一の平均化手段の機能と概略構成を説明する図。
【図１５】  セグメントの決定を説明する図。
【図１６】  本発明の第一の実施の形態の動作を示すフローチャート。
【図１７】  本発明の第二の実施の形態の動作を示すフローチャート。
【図１８】  本発明の第三の実施の形態の動作を示すフローチャート。
【図１９】  本発明の第四の実施の形態の動作を示すフローチャート。
【図２０】  本発明の第五の実施の形態の動作を示すフローチャート。
【図２１】  本発明の第六の実施の形態の動作を示すフローチャート（その１）。
【図２２】  本発明の第六の実施の形態の動作を示すフローチャート（その２）。
【図２３】  本発明の第七の実施の形態の動作を示すフローチャート。
【図２４】  本発明の第八の実施の形態の動作を示すフローチャート。（その１）。
【図２５】  本発明の第八の実施の形態の動作を示すフローチャート。（その２）。
【図２６】  本発明の第九の実施の形態の動作を示すフローチャート。
【図２７】  従来のパス・サーチ窓設定装置（その１）。
【図２８】  従来のパス・サーチ窓設定装置（その２）。
【符号の説明】
１、１ａ、１ｂ、１ｃ  有効パス検出装置
２、２ａ、２ｃ  セクタ選択装置
３、３ａ、３ｂ、３ｃ  移行決定装置
４、４ａ、４ｂ  パス・サーチ窓決定装置
５  拡散符号発生装置
６  逆拡散装置
７  ビット誤り率計算手段
８  重み計数格納装置
１１  相関器
１２  第一の平均化手段
１３  閾値計算手段
１４  比較手段
１５  第二の平均化手段
１６  閾値設定手段
１７  最大値検出手段
２１、２１ａ  セレクタ
２２、２２ａ、２２ｂ  総和手段
２３  大小比較手段
２４、２４ａ、２４ｂ  遅延分散算出手段
２５、２５ａ、２５ｂ  第三の平均化手段
２６、２６ａ、２６ｂ  重み係数格納手段
２７、２７ａ、２７ｂ  乗算器
２８、２８ａ、２８ｂ  重み係数格納手段
３１  有効パス判定手段
３２  連続判定手段
３３  ビット誤り率判定手段
３４  イネーブル論理回路
１２−１  加算器
１２−２  除算器
【図１】
0003815277.tif 000005
【図２】
0003815277.tif 000006
【図３】
0003815277.tif 000007
【図４】
0003815277.tif 000008
【図５】
0003815277.tif 000009
【図６】
0003815277.tif 000010
【図７】
0003815277.tif 000011
【図８】
0003815277.tif 000012
【図９】
0003815277.tif 000013
【図１０】
0003815277.tif 000014
【図１１】
0003815277.tif 000015
【図１２】
0003815277.tif 000016
【図１３】
0003815277.tif 000017
【図１４】
0003815277.tif 000018
【図１５】
0003815277.tif 000019
【図１６】
0003815277.tif 000020
【図１７】
0003815277.tif 000021
【図１８】
0003815277.tif 000022
【図１９】
0003815277.tif 000023
【図２０】
0003815277.tif 000024
【図２１】
0003815277.tif 000025
【図２２】
0003815277.tif 000026
【図２３】
0003815277.tif 000027
【図２４】
0003815277.tif 000028
【図２５】
0003815277.tif 000029
【図２６】
0003815277.tif 000030
【図２７】
0003815277.tif 000031
【図２８】
0003815277.tif 000032